(57)【要約】  信号送信方法、信号受信方法及び装置が提供される。端末装置がビーム失敗回復成功後に空間ドメイン伝送フィルターを使用して上りリンク信号を送信する解決案を提供し、端末装置が上りリンク信号を送信する信頼性を向上させることができる。また、該解決案は、適用性が広く、ＳｐＣｅｌｌにビーム失敗が発生するシナリオに適用され得るだけでなく、ＳＣｅｌｌにビーム失敗が発生するシナリオにも適用され得る。マルチキャリアシナリオの場合、該解決案は、前記第一セルの上りリンク信号に使用する空間ドメイン伝送フィルターを正確に指示することができるため、他のセルの上りリンク信号に使用する空間ドメイン伝送フィルターを誤って指示することがない。また、本解決案はさらに、前記一定期間の開始点を正確に規定しているから、端末装置とネットワーク装置の前記一定期間への理解の不一致による不必要な送受信エラーを回避することもできる。
2021536176.tif 000002
【特許請求の範囲】
【請求項１】
信号送信装置であって、
ビーム失敗回復に関する下りリンク信号を受信してからの一定期間の後、且つアクティベイションシグナリング又は再設定シグナリングを受信又は適用する前に、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信する送信ユニットを含む、装置。
【請求項２】
請求項１に記載の装置であって、
前記送信ユニットは、前記ビーム失敗回復に関する上りリンク信号を送信する第二セルが前記第一セルと同じセルであるときに、前記ビーム失敗回復に関する上りリンク信号を送信する空間ドメイン伝送フィルターと同じ空間ドメイン伝送フィルターを用いて、第一セルでの上りリンク信号を送信する、装置。
【請求項３】
請求項１又は２に記載の装置であって、
前記送信ユニットは、前記ビーム失敗回復に関する上りリンク信号を送信する第二セルが前記第一セルと同じセルでないときに、前記下りリンク参照信号を受信する空間ドメイン伝送フィルターと同じ空間ドメイン伝送フィルターを用いて、第一セルでの上りリンク信号を送信する、装置。
【請求項４】
請求項１に記載の装置であって、
前記ビーム失敗回復に関する下りリンク信号は、ビーム失敗回復レスポンス、及び／又はビーム失敗回復レスポンスによりスケジューリングされる下りリンクデータ情報である、装置。
【請求項５】
請求項４に記載の装置であって、
前記ビーム失敗回復レスポンスは、上位層パラメータにより提供されるサーチ空間で受信する、セル無線ネットワーク一時標識（Ｃ−ＲＮＴＩ）又は変調符号化スキームセル無線ネットワーク一時標識（ＭＣＳ−Ｃ−ＲＮＴＩ）によりスクランブルされる下りリンク制御情報（ＤＣＩ）である、装置。
【請求項６】
請求項５に記載の装置であって、
前記上位層パラメータは無線リソース制御（ＲＲＣ）シグナリングにより設定され、及び／又は
前記上位層パラメータは、ビーム失敗回復ランダムアクセスレスポンス（ＢＦＲ  ＲＡＲ）を受信するサーチ空間集合（ｓｅｔ）を設定するために用いられる、装置。
【請求項７】
請求項１に記載の装置であって、
前記一定期間は、
前記一定期間が所定数のシンボル、スロット又はミリ秒であり；
前記一定期間の長さが上位層シグナリングにより設定され；
前記一定期間の長さがサブキャリア間隔（ｓｕｂｃａｒｒｉｅｒ  ｓｐａｃｉｎｇ、ＳＣＳ）に関連し；及び
前記一定期間の長さが端末装置の能力（ＵＥ  ｃａｐａｂｉｌｉｔｙ）に関連する
ことのうちの少なくとも１つを満たす、装置。
【請求項８】
請求項１に記載の装置であって、
前記ビーム失敗回復に関する上りリンク信号は、
ビーム失敗回復リクエスト；
リンク失敗回復のための物理ランダムアクセスチャネル（ＰＲＡＣＨ）送信（ｔｒａｎｓｍｉｓｓｉｏｎ）；及び
前記ビーム失敗回復に関する下りリンク信号に関連付けられる物理ランダムアクセスチャネル（ＰＲＡＣＨ）送信（ｔｒａｎｓｍｉｓｓｉｏｎ）
のうちの少なくとも１つである、装置。
【請求項９】
請求項１又は８に記載の装置であって、
前記ビーム失敗回復に関する上りリンク信号は上位層パラメータにより設定される、装置。
【請求項１０】
請求項９に記載の装置であって、
前記上位層パラメータは、無線リソース制御（ＲＲＣ）シグナリングによりキャリー（ｃａｒｒｙ）され、及び／又は
前記上位層パラメータは、ビーム失敗回復（ＢＦＲ）専用の、前記ビーム失敗回復に関する上りリンク信号を送信するリソースを設定するために用いられる、装置。
【請求項１１】
請求項１に記載の装置であって、
前記下りリンク参照信号は、前記第一セルの下りリンク参照信号であり、及び／又は
前記下りリンク参照信号の索引は、媒体アクセス制御（ＭＡＣ）層のシグナリングにより提供される、装置。
【請求項１２】
請求項１１に記載の装置であって、
前記下りリンク参照信号の索引は、ＭＡＣ層により上位層パラメータのうちから選択される、装置。
【請求項１３】
請求項１に記載の装置であって、
前記第一セルは、
前記ビーム失敗回復に関する上りリンク信号を送信するセル；
前記ビーム失敗回復に関する上りリンク信号の送信に対応するランダムプロシージャを開始するセル；
前記ビーム失敗回復に関する上りリンク信号の送信に対応するランダムプロシージャの設定情報の所在するセル；
前記ビーム失敗回復に関する下りリンク信号を受信するセル；及び
少なくとも１つ又はすべてのアクティベイションセル
のうちの少なくとも１つであり、
前記アクティベイションセルとは、ネットワーク装置が指示シグナリングにより端末装置のためにアクティベイションするセルを指す、装置。
【請求項１４】
請求項１３に記載の装置であって、
前記第一セルでの上りリンク信号は、物理上りリンクリンク制御チャネル（ＰＵＣＣＨ）上で送信する上りリンク信号及び／又は物理上りリンクシェアチャネル（ＰＵＳＣＨ）上で送信する上りリンク信号である、装置。
【請求項１５】
請求項１４に記載の装置であって、
物理上りリンクリンク制御チャネル上で送信する前記上りリンク信号は、第一制御情報によりスケジューリングされる下りリンク信号をキャリー（ｃａｒｒｙ）するための確認情報である、装置。
【請求項１６】
請求項１に記載の装置であって、
前記アクティベイションシグナリングは、
ＭＡＣ層のアクティベイションシグナリング；
端末装置のアンテナパネル（ａｎｔｅｎｎａ  ｐａｎｅｌ）の切り替えを指示するシグナリング；及び
ターゲットセルが前記第一セルであるアクティベイションシグナリング
のうちの少なくとも１つである、装置。
【請求項１７】
請求項１６に記載の装置であって、
前記ＭＡＣ層のアクティベイションシグナリングは、ＰＵＣＣＨリソースの送信に対応する空間ドメイン伝送フィルターを指示するために用いられる、装置。
【請求項１８】
請求項１に記載の装置であって、
前記再設定シグナリングは、
ＲＲＣシグナリング；
端末装置のアンテナパネル（ａｎｔｅｎｎａ  ｐａｎｅｌ）の切り替えに関する再設定シグナリング；及び
ターゲットセルが前記第一セルである再設定シグナリング
のうちの少なくとも１つである、装置。
【請求項１９】
請求項１８に記載の装置であって、
前記ＲＲＣシグナリングは、少なくとも１つの設定済みのＰＵＣＣＨリソースに関連付けられる空間関係パラメータを再設定する、装置。
【請求項２０】
信号受信装置であって、
ビーム失敗回復に関する下りリンク信号を送信してからの一定期間の後、且つアクティベイションシグナリング又は再設定シグナリングを送信する、又は前記アクティベイションシグナリング又は再設定シグナリングが有効になる前に、ビーム失敗回復に関する上りリンク信号の受信又は下りリンク参照信号の送信に関する空間的情報に基づいて、第一セルでの上りリンク信号を受信する受信ユニットを含む、装置。
【発明の詳細な説明】
【技術分野】
【０００１】
本発明は、通信分野に関し、特に、信号送信方法、信号受信方法及び装置に関する。
【背景技術】
【０００２】
高周波数通信シナリオにおいて、通信リンクが物理的条件、例えば、天気、障害物、方向角度の変化などのファクターの影響を受けやすいため、元のビーム方向上の伝送失敗を来すことがある。ビーム失敗回復（ＢＦＲ、Ｂｅａｍ  Ｆａｉｌｕｒｅ  Ｒｅｃｏｖｅｒｙ）技術が主にこのようなシナリオに用いられ、異なる方向のビームパワーに対する測定結果を利用して、信頼性のある新しいビーム方向を迅速に確定することで、リンクに対しての迅速な回復を完了することができる。
【０００３】
ビーム失敗回復技術は、シングルキャリアのシナリオにおいて非常に効果的であるのみならず、マルチキャリアのシナリオにも重要な作用を発揮することができる。マルチキャリアのシナリオでは、端末装置（ＴＥ、Ｔｅｒｍｉｎａｌ  Ｅｑｕｉｐｍｅｎｔ）が１つのネットワーク装置（例えば、基地局）又は複数のネットワーク装置に接続され得る。１つの端末装置の異なるキャリアが同時に異なる方向のネットワーク装置に接続されるときに、空間的方向（ｓｐａｔｉａｌ  ｃｏｎｆｉｇｕｒａｔｉｏｎｓ）が相対的に独立しているから、或る時刻において、該異なるキャリア上の接続は一部のみにビーム失敗が発生する可能性がある。この場合、ビーム失敗回復技術は、このようなシナリオに対して最適化を行う必要があり、例えば、ビーム失敗未発生のキャリアを用いてパラメータの測定、データの伝送などを行うことで、システムのロバストネスを向上させる必要がある。
【０００４】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００５】
今のところ、５Ｇ−ＮＲ（５Ｇ−Ｎｅｗ  Ｒａｄｉｏ）通信システムでは、ビーム失敗回復プロシージャが成功した後に、上りリンク伝送に使用する空間ドメイン伝送フィルター（Ｓｐａｔｉａｌ  Ｄｏｍａｉｎ  Ｔｒａｎｓｍｉｓｓｉｏｎ  Ｆｉｌｔｅｒ）が依然としてビーム失敗回復の前に設定されたものである。上り下りリンク伝送の異質性（ｈｅｔｅｒｏｇｅｎｅｉｔｙ）が原因で、下りリンクチャネルにビーム失敗が発生した後に、対応する上りリンクチャネルに失敗が発生する確率も高い。これは、端末装置が元の空間的設定（ｓｐａｔｉａｌ  ｃｏｎｆｉｇｕｒａｔｉｏｎ）に従って上りリンク信号を送信することは信頼性が低いと意味する。
【０００６】
本発明の実施例は信号送信方法、信号受信方法及び装置を提供する。端末装置がビーム失敗回復に関する下りリンク信号を受信してからの一定期間（ａ  ｐｅｒｉｏｄ  ｏｆ  ｔｉｍｅ）の後、且つアクティベイションシグナリング又は再設定シグナリングを受信又は適用する前の期間（時間区間）内で、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信することで、端末装置がビーム失敗回復成功後に空間ドメイン伝送フィルターを用いて上りリンク信号を送信する解決案を提供し、端末装置が上りリンク信号を送信する信頼性を向上させることができる。また、この解決案は、適用性が広く、特殊セル（ＳｐＣｅｌｌ、Ｓｐｅｃｉａｌ  Ｃｅｌｌ）にビーム失敗が発生するシナリオに適用され得るだけでなく、セコンダリセル（ＳＣｅｌｌ、Ｓｅｃｏｎｄａｒｙ  Ｃｅｌｌ）にビーム失敗が発生するシナリオにも適用され得る。マルチキャリアの（マルチサービングセルが設定される）シナリオにおいて、該解決案は、前記第一セルの上りリンク信号に使用する空間ドメイン伝送フィルターを正確に指示することができるため、他のセル（前記第一セルでないセル）の上りリンク信号に使用する空間ドメイン伝送フィルターを誤って指示するのを避けることができる。
【０００７】
また、本解決案はさらに、前記一定期間の開始点を正確に規定しているため、端末装置とネットワーク装置の前記一定期間への理解の不一致による不必要な送受信エラーを回避することもできる。
【課題を解決するための手段】
【０００８】
本発明の実施例の第一側面によれば、信号送信装置が提供され、前記装置は、送信ユニットを含み、それは、ビーム失敗回復に関する下りリンク信号を受信してからの一定期間の後、且つアクティベイションシグナリング又は再設定シグナリングを受信又は適用する前に、ビーム失敗回復に関する上りリンク信号を送信する、又は、下りリンク参照信号を受信する空間ドメイン伝送フィルターと同じ空間ドメイン伝送フィルターを使用して、第一セルでの上りリンク信号を送信するために用いられる。
【０００９】
本発明の実施例の第二側面によれば、信号受信装置が提供されば、前記装置は、受信ユニットを含み、それは、ビーム失敗回復に関する下りリンク信号を送信してからの一定期間の後、且つアクティベイションシグナリング又は再設定シグナリングを送信する、又は、前記アクティベイションシグナリング又は再設定シグナリングが有効（ｔａｋｉｎｇ  ｅｆｆｅｃｔ）になる前に、ビーム失敗回復に関する上りリンク信号の受信又は下りリンク参照信号の送信に関する空間的情報（ｓｐａｔｉａｌ  ｉｎｆｏｒｍａｔｉｏｎ）に基づいて、第一セルでの上りリンク信号を受信するために用いられる。
【００１０】
本発明の実施例の第三側面によれば、端末装置が提供され、前記端末装置は本発明の実施例の第一側面に記載の装置を含む。
【００１１】
本発明の実施例の第四側面によれば、ネットワーク装置が提供され、前記ネットワーク装置は、本発明の実施例の第二側面に記載の装置を含む。
【００１２】
本発明の実施例の第五側面によれば、通信システムが提供され、前記通信システムは、本発明の実施例の第三側面に記載の端末装置及び本発明の実施例の第四側面に記載のネットワーク装置を含む。
【００１３】
本発明の実施例の第六側面によれば、信号送信方法が提供され、前記方法は、端末装置がビーム失敗回復に関する下りリンク信号を受信してからの一定期間の後、且つアクティベイションシグナリング又は再設定シグナリングを受信又は適用する前に、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信することを含む。
【００１４】
本発明の実施例の第七側面によれば、信号受信方法が提供され、前記方法は、ネットワーク装置がビーム失敗回復に関する下りリンク信号を送信してからの一定期間の後、且つアクティベイションシグナリング又は再設定シグナリングを送信する、又は、前記アクティベイションシグナリング又は再設定シグナリングが有効になる前に、ビーム失敗回復に関する上りリンク信号の受信又は下りリンク参照信号の送信に関する空間的情報に基づいて、第一セルでの上りリンク信号を受信することを含む。
【００１５】
本発明の実施例の第八側面によれば、コンピュータ可読プログラムが提供され、そのうち、信号送信装置又は端末装置中で前記プログラムを実行するときに、前記プログラムは、前記信号送信装置又は端末装置に、本発明の実施例の第六側面に記載の信号送信方法を実行させる。
【００１６】
本発明の実施例の第九側面によれば、コンピュータ可読プログラムを記憶する記憶媒体が提供され、そのうち、前記コンピュータ可読プログラムは、前記信号送信装置又は端末装置に、本発明の実施例の第六側面に記載の信号送信方法を実行させる。
【００１７】
本発明の実施例の第十側面によれば、コンピュータ可読プログラムが提供され、そのうち、信号受信装置又はネットワーク装置中で前記プログラムを実行するときに、前記プログラムは、前記信号受信装置又はネットワーク装置に、本発明の実施例の第七側面に記載の信号受信方法を実行させる。
【００１８】
本発明の実施例の第十一側面によれば、コンピュータ可読プログラムを記憶した記憶媒体が提供され、そのうち、前記コンピュータ可読プログラムは、前記信号受信装置又はネットワーク装置に、本発明の実施例の第七側面に記載の信号受信方法を実行させる。
【００１９】
本発明の有利な効果は次のとおりであり、即ち、端末装置がビーム失敗回復に関する下りリンク信号を受信してからの一定期間の後、且つアクティベイションシグナリング又は再設定シグナリングを受信又は適用する前の期間内で、ビーム失敗回復に関する上りリンク信号を送信する又は下りリンク参照信号を受信する空間ドメイン伝送フィルターと同じ空間ドメイン伝送フィルターを用いて、第一セルでの上りリンク信号を送信し、これにより、端末装置がビーム失敗回復成功後に空間ドメイン伝送フィルターを用いて上りリンク信号を送信する解決案を提供し、端末装置が上りリンク信号を送信する信頼性を向上させることができる。また、該解決案は、適用性が広く、ＳｐＣｅｌｌにビーム失敗が発生するシナリオに適用することができるだけでなく、セコンダリセル（ＳＣｅｌｌ、Ｓｅｃｏｎｄａｒｙ  Ｃｅｌｌ）にビーム失敗が発生するシナリオにも適用することができる。
【００２０】
後述の説明及び図面を参照することで、本発明の特定の実施形態を詳しく開示し、本発明の原理を採用し得る態様を示す。なお、本発明の実施形態は、範囲上ではこれらにより限定されない。添付した特許請求の範囲内であれば、本発明の実施形態は、様々な変更、修正及び代替によるものを含んでも良い。
【００２１】
また、１つの実施方式について説明した及び／又は示した特徴は、同じ又は類似した方式で１つ又は複数の他の実施形態に用い、他の実施形態における特徴と組み合わせ、又は、他の実施形態における特徴を置換することもできる。
【００２２】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００２３】
含まれている図面は、本発明の実施例への更なる理解を提供するために用いられ、これらの図面は、本明細書の一部を構成し、本発明の実施形態を例示し、文字記載とともに本発明の原理を説明するために用いられる。また、明らかのように、以下に記載される図面は、本発明の幾つかの実施例を示すためのものに過ぎず、当業者は、創造性のある労働をせずに、これらの図面に基づいて他の図面を得ることもできる。
【図１】本発明の実施例における通信システムを示す図である。
【図２】本発明の実施例１における信号送信方法を示す図である。
【図３】本発明の実施例１における信号送信方法を示す他の図である。
【図４】本発明の実施例１における信号の送信及び受信のタイミング図である。
【図５】本発明の実施例２における信号受信方法を示す図である。
【図６】本発明の実施例２における信号受信方法を示す他の図である。
【図７】本発明の実施例３における信号送信方法を示す図である。
【図８】本発明の実施例４における信号送信装置を示す図である。
【図９】本発明の実施例５における信号受信装置を示す図である。
【図１０】本発明の実施例６における端末装置の構成図である。
【図１１】本発明の実施例７におけるネットワーク装置の構成図である。
【発明を実施するための形態】
【００２４】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載されている実施形態に限定されず、即ち、本発明は、添付した特許請求の範囲内のすべての変更、変形及び代替によるものも含むということである。
【００２５】
本発明の実施例では、用語「通信ネットワーク」又は「無線通信ネットワーク」は、次のような任意の通信規格に準ずるネットワークを指しても良く、例えば、ＬＴＥ（ＬＴＥ、Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＨＳＰＡ（Ｈｉｇｈ−Ｓｐｅｅｄ  Ｐａｃｋｅｔ  Ａｃｃｅｓｓ）などである。
【００２６】
また、通信システムにおける装置間の通信は、任意の段階の通信プロトコルに従って行われても良く、例えば、次のような通信プロトコルを含んでも良いが、それに限定されず、即ち、１Ｇ（ｇｅｎｅｒａｔｉｏｎ）、２Ｇ、２．５Ｇ、２．７５Ｇ、３Ｇ、４Ｇ、４．５Ｇ及び将来の５Ｇ、新無線（ＮＲ、Ｎｅｗ  Ｒａｄｉｏ）など、及び／又は、その他の従来の又は将来開発される通信プロトコルである。
【００２７】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（ＢＳ、Ｂａｓｅ  Ｓｔａｔｉｏｎ）、アクセスポイント（ＡＰ、Ａｃｃｅｓｓ  Ｐｏｉｎｔ）、送受信ポイント（ＴＲＰ、Ｔｒａｎｓｍｉｓｓｉｏｎ  Ｒｅｃｅｐｔｉｏｎ  Ｐｏｉｎｔ）、ブロードキャスト送信機、モバイル管理エンティティ（ＭＭＥ、Ｍｏｂｉｌｅ  Ｍａｎａｇｅｍｅｎｔ  Ｅｎｔｉｔｙ）、ネットワークゲートウェイ、サーバー、無線ネットワーク制御器（ＲＮＣ、Ｒａｄｉｏ  Ｎｅｔｗｏｒｋ  Ｃｏｎｔｒｏｌｌｅｒ）、基地局制御器（ＢＳＣ、Ｂａｓｅ  Ｓｔａｔｉｏｎ  Ｃｏｎｔｒｏｌｌｅｒ）などである。
【００２８】
そのうち、基地局は、次のようなものを含んでも良いが、それに限定されず、即ち、ノードＢ（ＮｏｄｅＢ又はＮＢ）、進化ノードＢ（ｅＮｏｄｅＢ又はｅＮＢ）及び５Ｇ基地局（ｇＮＢ）などであり、さらにＲＲＨ（Ｒｅｍｏｔｅ  Ｒａｄｉｏ  Ｈｅａｄ）、ＲＲＵ（Ｒｅｍｏｔｅ  Ｒａｄｉｏ  Ｕｎｉｔ）、リレー（ｒｅｌａｙ）又は低パワーノード（例えば、ｆｅｍｔｏ、ｐｉｃｏなど）を含んでも良い。また、用語「基地局」は、それらの一部又はすべての機能を含んでも良く、各基地局は、特定の地理的領域に対して通信カバレッジを提供することができる。用語「セル」が指すのは、基地局及び／又はそのカバーする領域であっても良く、これは、該用語のコンテキストによるものである。
【００２９】
本発明の実施例では、用語「ユーザ装置」（ＵＥ、Ｕｓｅｒ  Ｅｑｕｉｐｍｅｎｔ）又は「端末装置」（ＴＥ、Ｔｅｒｍｉｎａｌ  Ｅｑｕｉｐｍｅｎｔ）は、例えば、ネットワーク装置により通信ネットワークにアクセスし、且つネットワークからのサービスを受ける装置を指す。ユーザ装置は、固定したもの又は移動するものであっても良く、また、移動ステーション（ＭＳ、Ｍｏｂｉｌｅ  Ｓｔａｔｉｏｎ）、端末、加入者ステーション（ＳＳ、Ｓｕｂｓｃｒｉｂｅｒ  Ｓｔａｔｉｏｎ）、アクセス端末（ＡＴ、Ａｃｃｅｓｓ  Ｔｅｒｍｉｎａｌ）、ステーションなどとも称される。
【００３０】
そのうち、ユーザ装置は、次のようなものを含んでも良いが、それに限定されず、例えば、携帯電話（Ｃｅｌｌｕｌａｒ  Ｐｈｏｎｅ）、ＰＤＡ（Ｐｅｒｓｏｎａｌ  Ｄｉｇｉｔａｌ  Ａｓｓｉｓｔａｎｔ）、無線モデム、無線通信装置、携帯装置、マシンタイプ通信装置、ラップトップコンピュータ、コードレス電話機、スマートフォン、スマートウォッチ、デジタルカメラなどである。
【００３１】
また、例えば、ＩｏＴ（Ｉｎｔｅｒｎｅｔ  ｏｆ  Ｔｈｉｎｇｓ）などのシナリオにおいて、ユーザ装置は、さらに、監視又は測定を行う機器又は装置であっても良く、例えば、次のようなものを含んでも良いが、それに限定されず、即ち、マシンタイプ通信（ＭＴＣ、Ｍａｃｈｉｎｅ  Ｔｙｐｅ  Ｃｏｍｍｕｎｉｃａｔｉｏｎ）端末、車載通信端末、Ｄ２Ｄ（Ｄｅｖｉｃｅ  ｔｏ  Ｄｅｖｉｃｅ）端末、Ｍ２Ｍ（Ｍａｃｈｉｎｅ  ｔｏ  Ｍａｃｈｉｎｅ）端末などである。
【００３２】
本発明の実施例では、セルがサービングセルであっても良く、セルに対応するキャリアであっても良く、あるいは、セルは、キャリアと一対一対応すると理解されても良い。
【００３３】
本発明の実施例では、ＤＣ（ｄｕａｌ  ｃｏｎｎｅｃｔｉｖｉｔｙ  ｏｐｅｒａｔｉｏｎ）の場合、特殊セルとは、ＭＣＧ（ｍａｓｔｅｒ  ｃｅｌｌ  ｇｒｏｕｐ）におけＰｃｅｌｌ（Ｐｒｉｍａｒｙ  Ｃｅｌｌ）及びＳＣＧ（ｓｅｃｏｎｄａｒｙ  ｃｅｌｌ  ｇｒｏｕｐ）におけるＰＳＣｅｌｌ（Ｐｒｉｍａｒｙ  Ｓｅｃｏｎｄａｒｙ  Ｃｅｌｌ）を指し；そうでない場合、特殊セルとは、Ｐｃｅｌｌを指す。
【００３４】
以下、例を挙げて本発明の実施例のシナリオについて説明を行うが、本発明は、これに限られない。
【００３５】
図１は、本発明の実施例における通信システムを示す図であり、端末装置及びネットワーク装置を例にとったケースを例示する。図１に示すように、通信システム１００は、ネットワーク装置１０１及び端末装置１０２を含む。便宜のため、図１では、１つの端末装置のみを例にとって説明するが、本発明の実施例は１つの端末装置に限定されない。
【００３６】
本発明の実施例では、ネットワーク装置１０１と端末装置１０２との間は、従来のトラフィック又は将来実施可能なトラフィックが行われても良い。これらのトラフィックは、例えば、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含むが、これに限定されない。
【実施例１】
【００３７】
本発明の実施例では信号送信方法が提供され、該方法は端末装置側に応用される。
【００３８】
図２は、本発明の実施例１における信号送信方法を示す図である。図２に示すように、該方法は以下のステップを含む。
【００３９】
ステップ２０１：端末装置がビーム失敗回復に関する下りリンク信号を受信してからの一定期間の後、且つアクティベイションシグナリング又は再設定シグナリングを受信又は適用する前に、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信する。
【００４０】
このように、端末装置がビーム失敗回復成功後に空間ドメイン伝送フィルターを使用して上りリンク信号を送信する解決案を提供し、端末装置が上りリンク信号を送信する信頼性を向上させることができる。また、該解決案は、適用性が広く、ＳｐＣｅｌｌにビーム失敗が発生するシナリオに適用することができるのみならず、セコンダリセル（ＳＣｅｌｌ、Ｓｅｃｏｎｄａｒｙ  Ｃｅｌｌ）にビーム失敗が発生するシナリオにも適用することができる。マルチキャリア（マルチサービングセルが設定される）シナリオにおいて、該解決案は、前記第一セルの上りリンク信号に使用する空間ドメイン伝送フィルターを正確に指示することができるため、他のセル（前記第一セルでないセル）の上りリンク信号に使用する空間ドメイン伝送フィルターを誤って指示するのを避けることができる。
【００４１】
また、本解決案はさらに、前記一定期間の開始点を正確に規定しているから、端末装置とネットワーク装置の前記一定期間への理解の不一致による不必要な送受信エラーを回避することもできる。
【００４２】
ステップ２０１では、端末装置がビーム失敗回復に関する下りリンク信号を受信してからの一定期間の後、且つアクティベイションシグナリング又は再設定シグナリングを受信又は適用する前の期間内で、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信する。
【００４３】
言い換えると、端末装置がビーム失敗回復に関する下りリンク信号を受信してからの一定期間の後に、第一セルでの上りリンク信号を送信する必要がある場合、ビーム失敗回復に関する上りリンク信号を送信する、又は、下りリンク参照信号を受信する空間ドメイン伝送フィルターと同じ空間ドメイン伝送フィルターを用いて、該上りリンク信号を、該端末装置がアクティベイションシグナリング又は再設定シグナリングを受信又は適用するまで送信する。
【００４４】
あるいは、言い換えると、端末装置がビーム失敗回復に関する下りリンク信号を受信した後に、前記ビーム失敗回復に関する下りリンク信号を受信する時刻と、前記端末装置が前記上りリンク信号を送信する時刻とのオフセット（ｏｆｆｓｅｔ）が一定期間以上である場合、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を、端末装置がアクティベイションシグナリング又は再設定シグナリングを受信又は適用するまで送信する。
【００４５】
本実施例では、端末装置がアクティベイションシグナリング又は再設定シグナリングを受信又は適用した後に、ステップ２０１における空間ドメイン伝送フィルターに関する使用制限を受けない。
【００４６】
本実施例では、便宜のため、“ビーム失敗回復に関する下りリンク信号を受信する”時刻を第一時刻と称し、“ビーム失敗回復に関する下りリンク信号を受信してからの一定期間を経た”時刻を第二時刻と称し、“アクティベイションシグナリング又は再設定シグナリングを受信又は適用する”時刻を第三時刻と称し、“第一セルでの上りリンク信号を送信する”時刻を第四時刻と称する。そうすると、ステップ２０１では、端末装置が前記第二時刻と前記第三時刻との間の期間内で、上述の規定する空間ドメイン伝送フィルターを使用して、第一セルでの上りリンク信号を送信する。あるいは、次のように理解されても良く、即ち、端末装置は、前記第一時刻と前記第四時刻とのオフセット（ｏｆｆｓｅｔ）が一定期間以上であるとき、且つ前記第三時刻の前に、上述の規定する空間ドメイン伝送フィルターを用いて、第一セルでの上りリンク信号を送信する。
【００４７】
以下、まず、ステップ２０１における“ビーム失敗回復に関する下りリンク信号を受信してからの一定期間”について例示的に説明する。
【００４８】
本実施例では、該ビーム失敗回復に関する下りリンク信号は、ネットワーク装置がユーザ装置に送信するビーム失敗回復に関する下りリンク信号であり、例えば、該ビーム失敗回復に関する下りリンク信号は、ビーム失敗回復レスポンス及び／又はビーム失敗回復レスポンスによりスケジューリングされる下りリンクデータ情報である。
【００４９】
本実施例では、該ビーム失敗回復レスポンスは、上位層パラメータにより提供されるサーチ空間で受信される、セル無線ネットワーク一時標識（Ｃ−ＲＮＴＩ、Ｃｅｌｌ  Ｒａｄｉｏ  Ｎｅｔｗｏｒｋ  Ｔｅｍｐｏｒａｒｙ  Ｉｄｅｎｔｉｆｉｅｒ）又は変調符号化スキームセル無線ネットワーク一時標識（ＭＣＳ−Ｃ−ＲＮＴＩ、Ｍｏｄｕｌａｔｉｏｎ  ａｎｄ  Ｃｏｄｉｎｇ  Ｓｃｈｅｍｅ−  Ｃｅｌｌ  Ｒａｄｉｏ  Ｎｅｔｗｏｒｋ  Ｔｅｍｐｏｒａｒｙ  Ｉｄｅｎｔｉｆｉｅｒ）によりスクランブルされる下りリンク制御情報（ＤＣＩ、Ｄｏｗｎｌｉｎｋ  Ｃｏｎｔｒｏｌ  Ｉｎｆｏｒｍａｔｉｏｎ）であっても良い。
【００５０】
本実施例では、該上位層パラメータは無線リソース制御（ＲＲＣ、Ｒａｄｉｏ  Ｒｅｓｏｕｒｃｅ  Ｃｏｎｔｒｏｌ）シグナリングにより設定されても良い。
【００５１】
本実施例では、該上位層パラメータは、ビーム失敗回復（ＢＦＲ）ランダムアクセスレスポンス（ＲＡＲ、Ｒａｎｄｏｍ  Ａｃｃｅｓｓ  Ｒｅｓｐｏｎｓｅ）を受信するサーチ空間集合（ｓｅｔ）を設定するために用いられても良い。
【００５２】
例えば、該上位層パラメータは、回復サーチ空間集合標識（ｒｅｃｏｖｅｒｙＳｅａｒｃｈＳｐａｃｅＩｄ）であっても良い。
【００５３】
本実施例では、該“一定期間”は実際のニーズに応じて設定されても良い。
【００５４】
例えば、該一定期間は所定数のシンボル（ｓｙｍｂｏｌ）、スロット（ｓｌｏｔ）又はミリ秒（ｍｓｅｃ）であっても良い。
【００５５】
例えば、該一定期間はＫ個のシンボル、又は、Ｋ個のスロット、又は、Ｋミリ秒であり、そのうち、Ｋは０以上の整数である。
【００５６】
本実施例では、該一定期間の長さは、サブキャリア間隔（ＳＣＳ、ｓｕｂｃａｒｒｉｅｒ  ｓｐａｃｉｎｇ）に関連しても良い。
【００５７】
例えば、該一定期間の長さは、異なるサブキャリア間隔の下で変化する。
【００５８】
例えば、該一定期間の長さに対応するシンボル数はＳＣＳに正比例しても良く、即ち、該ＳＣＳが１５ＫＨｚであるときに、該一定期間の長さは１４個のシンボルであり；該ＳＣＳが３０ＫＨｚであるときに、該一定期間の長さは２８個のシンボルであり；該ＳＣＳが６０ＫＨｚであるときに、該時間長さは５６個のシンボルであり、これに基づいて類推することができる。
【００５９】
また、例えば、該ＳＣＳが１５ｋＨｚ及び３０ｋＨｚであるときに、第一時間長（例えば、１４個のシンボル）を使用し、該ＳＣＳが３０ｋＨｚよりも高い場合、第二時間長（例えば、２８個のシンボル）を使用する。
【００６０】
本実施例では、該一定期間の長さは、該端末装置の能力（ＵＥ  ｃａｐａｂｉｌｉｔｙ）に関連しても良い。具体的に言えば、該端末装置の能力とは、ネットワーク装置に報告する端末装置の能力を指す。
【００６１】
例えば、該一定期間の長さは、異なる端末装置の能力の等級（レベル）の下で変わる。
【００６２】
例えば、第一ＵＥ能力等級（又は報告する第一ＵＥ能力等級の情報）の場合、該一定期間の長さは、第一時間長（例えば、１４個のシンボル）であり；第二ＵＥ能力等級（又は報告する第二ＵＥ能力等級の情報）の場合、該一定期間の長さは、第二時間長（例えば、２８個のシンボル）であり、これに基づいて類推することができる。
【００６３】
本実施例では、該一定期間の長さは、上位層シグナリングにより設定されても良い。
【００６４】
本実施例では、前記一定期間は１つの閾値と理解されても良い。前記第一時刻と前記第四時刻とのオフセットが前記閾値以上のとき、且つ第三時刻の前に、前記端末装置は、上述の規定する空間ドメイン伝送フィルターを用いて、第一セルでの上りリンク信号を送信する。
【００６５】
そのうち、前記第一時刻、即ち、ビーム失敗回復に関する下りリンク信号を受信する時刻はさらに以下のように理解されても良い。
【００６６】
例えば、下りリンク信号が前記ビーム失敗回復レスポンスである場合、下りリンク信号を受信する時刻は、該下りリンク信号を受信するスロットであり；又は、下りリンク信号が前記ビーム失敗回復レスポンスである場合、下りリンク信号を受信する時刻は、該下りリンク信号を受信するスロットの一番目又は最後の１つのシンボルであり；又は、下りリンク信号が前記ビーム失敗回復レスポンスである場合、下りリンク信号を受信する時刻は、該ビーム失敗回復レスポンス（のサーチ空間）に対応する制御リソース集合（ｃｏｎｔｒｏｌ  ｒｅｓｏｕｒｃｅ  ｓｅｔ）を受信する１つのシンボル（一番目のシンボル／最後の１つのシンボル）である。
【００６７】
また、例えば、下りリンク信号が前記ビーム失敗回復レスポンスによりスケジューリングされる下りリンクデータ情報（例えば、シングルスロットＰＤＳＣＨ、又はマルチスロットＰＤＳＣＨのうちの１つのスロットのＰＤＳＣＨ）である場合、下りリンク信号を受信する時刻は、該下りリンク信号を受信するスロットであり；又は、下りリンク信号が前記ビーム失敗回復レスポンスによりスケジューリングされる下りリンクデータ情報（例えば、ＰＤＳＣＨ）であるときに、端末装置にシングルスロットＰＤＳＣＨ（ｓｉｎｇｌｅ  ｓｌｏｔ  ＰＤＳＣＨ）が設定され、即ち、設定されるＰＤＳＣＨの重複回数が１（ａｇｇｒｅｇａｔｉｏｎＦａｃｔｏｒＤＬ＝１）である場合、下りリンク信号を受信する時刻は、該下りリンクデータ情報の所在するスロットであり；又は、下りリンク信号が前記ビーム失敗回復レスポンスによりスケジューリングされる下りリンクデータ情報（例えば、ＰＤＳＣＨ）であるとき、端末装置にマルチスロットＰＤＳＣＨ（ｍｕｌｔｉｐｌｅ  ｓｌｏｔ  ＰＤＳＣＨ）が設定され、即ち、設定されるＰＤＳＣＨの重複回数が１よりも大きい（ａｇｇｒｅｇａｔｉｏｎＦａｃｔｏｒＤＬ＞１）場合、下りリンク信号を受信する時刻は、該下りリンクデータ情報に関するスロットである（例えば、下りリンクデータ情報に関するスロットは、該下りリンクデータ情報（複数のスロットを含むＰＤＳＣＨ）の一番目のスロットであり、又は該下りリンクデータ情報（複数のスロットを含むＰＤＳＣＨ）の最後の１つのスロットである）。
【００６８】
また、例えば、下りリンク信号が前記ビーム失敗回復レスポンスによりスケジューリングされる下りリンクデータ情報（例えば、シングルスロットＰＤＳＣＨ、又はマルチスロットＰＤＳＣＨのそのうち１つのスロットのＰＤＳＣＨ）である場合、下りリンク信号を受信する時刻は、該下りリンクデータ情報に関するシンボルであり（例えば、該下りリンクデータ情報に関するシンボルは、該下りリンク信号に対応する一番目のシンボルであり、又は該下りリンク信号に対応する最後の１つのシンボルである）；又は、下りリンク信号が前記ビーム失敗回復レスポンスによりスケジューリングされる下りリンクデータ情報（例えば、ＰＤＳＣＨ）であるときに、端末装置にシングルスロットＰＤＳＣＨ（ｓｉｎｇｌｅ  ｓｌｏｔ  ＰＤＳＣＨ）が設定され、即ち、設定されるＰＤＳＣＨの重複回数為１（ａｇｇｒｅｇａｔｉｏｎＦａｃｔｏｒＤＬ＝１）である場合、下りリンク信号を受信する時刻は、該下りリンクデータ情報をキャリー（ｃａｒｒｙ）するリソース（ＰＤＳＣＨ）の一番目又は最後の１つのシンボルであり；又は、下りリンク信号が前記ビーム失敗回復レスポンスによりスケジューリングされる下りリンクデータ情報（例えば、ＰＤＳＣＨ）であるときに、端末装置にマルチスロットＰＤＳＣＨ（ｍｕｌｔｉｐｌｅ  ｓｌｏｔ  ＰＤＳＣＨ）が設定され、即ち、設定されるＰＤＳＣＨの重複回数が１よりも大きい（ａｇｇｒｅｇａｔｉｏｎＦａｃｔｏｒＤＬ＞１）場合、下りリンク信号を受信する時刻は、該下りリンクデータ情報に関するシンボルである（例えば、該下りリンクデータ情報に関するシンボルは、該下りリンク信号（複数のスロットを含むＰＤＳＣＨ）の一番目のスロットのＰＤＳＣＨの一番目のシンボルであり、又は該下りリンク信号（複数のスロットを含むＰＤＳＣＨ）の最後の１つのスロットのＰＤＳＣＨの最後の１つのシンボルである）。
【００６９】
そのうち、前記第四時刻、即ち、第一セルでの上りリンク信号を送信する時刻は、さらに以下のように理解されても良い。
【００７０】
例えば、上りリンク信号が上りリンク制御情報（ＰＵＣＣＨ）である場合、第一セルでの上りリンク信号を送信する時刻は、第一セルでの上りリンク制御情報を送信するスロットであり；又は、上りリンク信号が上りリンク制御情報（ＰＵＣＣＨ）である場合、第一セルでの上りリンク信号を送信する時刻は、第一セルでの上りリンク制御情報の送信に関するシンボル（例えば、該上りリンク制御情報の一番目のシンボル又は最後の１つのシンボルであり；また、例えば、第一セルでの上りリンク制御情報を送信するスロットの一番目のシンボル又は最後の１つのシンボルである）。
【００７１】
また、例えば、上りリンク信号が上りリンクデータ情報（例えば、シングルスロットＰＵＳＣＨ、又はマルチスロットＰＵＳＣＨのうちの１つのスロットのＰＵＳＣＨ）である場合、第一セルでの上りリンク信号を送信する時刻は、第一セルでの上りリンク信号を送信するスロットであり；又は、上りリンク信号が上りリンクデータ情報（ＰＵＳＣＨ）であるときに、端末装置にシングルスロットＰＵＳＣＨ（ｓｉｎｇｌｅ  ｓｌｏｔ  ＰＵＳＣＨ）が設定され、即ち、設定されるＰＵＳＣＨの重複回数が１に等しい（ｒｅｐＫ＝１）場合、第一セルでの上りリンク信号を送信する時刻は、第一セルでの上りリンクデータ情報を送信するスロットであり；又は、上りリンク信号が上りリンクデータ情報（ＰＵＳＣＨ）であるときに、端末装置にマルチスロットＰＵＳＣＨ（ｍｕｌｔｉｐｌｅ  ｓｌｏｔ  ＰＵＳＣＨ）が設定され、即ち、設定されるＰＵＳＣＨの重複回数が１よりも大きい（ｒｅｐＫ＞１）場合、第一セルでの上りリンク信号を送信する時刻は、第一セルでの上りリンクデータ情報の送信に関するスロット（例えば、第一セルでの上りリンクデータ情報（複数のスロットを含むＰＵＳＣＨ）を送信する一番目のスロット又は最後の１つのスロット）である。
【００７２】
また、例えば、上りリンク信号が上りリンクデータ情報（例えば、シングルスロットＰＵＳＣＨ、又はマルチスロットＰＵＳＣＨのうちの１つのｓｌｏｔのＰＵＳＣＨ）である場合、第一セルでの上りリンク信号を送信する時刻は、第一セルでの上りリンクデータ情報の送信に関するシンボルであり（例えば、該上りリンクデータ情報に関するシンボルは、該上りリンクデータ情報の一番目のシンボル又は最後の１つのシンボル）；又は、上りリンク信号が上りリンクデータ情報（ＰＵＳＣＨ）であるときに、端末装置にシングルスロットＰＵＳＣＨ（ｓｉｎｇｌｅ  ｓｌｏｔ  ＰＵＳＣＨ）が設定され、即ち、設定されるＰＵＳＣＨの重複回数が１に等しい（ｒｅｐＫ＝１）場合、第一セルでの上りリンク信号を送信する時刻は、該上りリンクデータ情報をキャリー（ｃａｒｒｙ）するリソースの一番目のシンボル又は最後の１つのシンボルであり；又は、上りリンク信号が上りリンクデータ情報（ＰＵＳＣＨ）であるときに、端末装置にマルチスロットＰＵＳＣＨ（ｍｕｌｔｉｐｌｅ  ｓｌｏｔ  ＰＵＳＣＨ）が設定され、即ち、設定されるＰＵＳＣＨの重複回数が１よりも大きい（ｒｅｐＫ＞１）場合、第一セルでの上りリンク信号を送信する時刻は、第一セルでの上りリンクデータ情報の送信に関するシンボル（例えば、第一セルでの上りリンクデータ情報（複数のスロットを含むＰＵＳＣＨ）を送信する一番目のスロットのＰＵＳＣＨの一番目のシンボル又は最後の１つのスロットのＰＵＳＣＨの最後の１つのシンボル）である。
【００７３】
そのうち、前記第三時刻、即ち、アクティベイションシグナリング又は再設定シグナリングを受信又は適用する時刻はさらに以下のように理解されても良い。
【００７４】
例えば、アクティベイションシグナリング又は再設定シグナリングを受信又は適用する時刻は、前記アクティベイションシグナリング又は再設定シグナリングを適用する時刻であり、より具体的に言えば、前記アクティベイションシグナリング又は再設定シグナリングが有効になるスロットであり；又は、アクティベイションシグナリング又は再設定シグナリングを受信又は適用する時刻は、アクティベイションシグナリング又は再設定シグナリングに対応する下りリンク信号（例えば、シングルスロットＰＤＳＣＨ、又はマルチスロットＰＤＳＣＨのそのうち１つのスロットのＰＤＳＣＨ）を受信するスロットであり；又は、端末装置にシングルスロットＰＤＳＣＨ（ｓｉｎｇｌｅ  ｓｌｏｔ  ＰＤＳＣＨ）が設定され、即ち、設定されるＰＤＳＣＨの重複回数が１に等しい（ａｇｇｒｅｇａｔｉｏｎＦａｃｔｏｒＤＬ＝１）場合、アクティベイションシグナリング又は再設定シグナリングを受信又は適用する時刻は、アクティベイションシグナリング又は再設定シグナリングに対応するＰＤＳＣＨを受信するスロットであり；又は、端末装置にマルチスロットＰＤＳＣＨ（ｍｕｌｔｉｐｌｅ  ｓｌｏｔ  ＰＤＳＣＨ）が設定され、即ち、設定されるＰＤＳＣＨの重複回数が１よりも大きい（ａｇｇｒｅｇａｔｉｏｎＦａｃｔｏｒＤＬ＞１）場合、アクティベイションシグナリング又は再設定シグナリングを受信又は適用する時刻は、アクティベイションシグナリング又は再設定シグナリングに対応する下りリンク信号（マルチスロットを含むＰＤＳＣＨ）を受信する一番目又は最後の１つのスロットである。
【００７５】
以下、ステップ２０１の中の“アクティベイションシグナリング又は再設定シグナリングを受信又は適用する”について例示的に説明する。
【００７６】
本実施例では、該アクティベイションシグナリングは１種の指示シグナリングであっても良い。
【００７７】
例えば、該アクティベイションシグナリングは以下の少なくとも１つであっても良く、即ち、
媒体アクセス制御（ＭＡＣ、Ｍｅｄｉａ  Ａｃｃｅｓｓ  Ｃｏｎｔｒｏｌ）層のアクティベイションシグナリング；
該端末装置のアンテナ面板（ａｎｔｅｎｎａ  ｐａｎｅｌ）の切り替えを指示するシグナリング；及び
ターゲットセルが該第一セルであるアクティベイションシグナリングである。
【００７８】
例えば、該ＭＡＣ層のアクティベイションシグナリングは、少なくとも１つの設定済みのＰＵＣＣＨリソースの送信に対応する空間ドメイン伝送フィルターを指示するために用いられ、例えば、該アクティベイションシグナリングが指示するのはＰＵＣＣＨ−ＳｐａｔｉａｌＲｅｌａｔｉｏｎＩｎｆｏである。
【００７９】
本実施例では、該再設定シグナリングは以下の少なくとも１つであっても良く、即ち、
ＲＲＣシグナリング；
該端末装置のアンテナ面板（ａｎｔｅｎｎａ  ｐａｎｅｌ）の切り替えに関する再設定シグナリング；及び
ターゲットセルが該第一セルである再設定シグナリングである。
【００８０】
例えば、該ＲＲＣシグナリングは、少なくとも１つの設定済みの物理上りリンクリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）リソースに関連付けられる空間関係パラメータを再設定する。
【００８１】
例えば、該空間関係パラメータはＰＵＣＣＨ−ＳｐａｔｉａｌＲｅｌａｔｉｏｎＩｎｆｏである。
【００８２】
以上、“ビーム失敗回復に関する下りリンク信号を受信してからの一定期間”及び“アクティベイションシグナリング又は再設定シグナリングを受信又は適用する”について例示的に説明した。以下、ステップ２０１の中の“ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信する”について例示的に説明する。
【００８３】
本実施例では、該ビーム失敗回復に関する上りリンク信号は以下の少なくとも１種の信号であっても良く、即ち、
ビーム失敗回復リクエスト；
リンク失敗回復のための物理ランダムアクセスチャネル（ＰＲＡＣＨ）送信（ｔｒａｎｓｍｉｓｓｉｏｎ）；及び
前記ビーム失敗回復に関する下りリンク信号に関連付けられる物理ランダムアクセスチャネル（ＰＲＡＣＨ）送信（ｔｒａｎｓｍｉｓｓｉｏｎ）である。
【００８４】
具体的に言えば、前記物理ランダムアクセスチャネル（ＰＲＡＣＨ）送信（ｔｒａｎｓｍｉｓｓｉｏｎ）及び前記ビーム失敗回復に関する下りリンク信号は時間的な関連付けであっても良く、例えば、スロットｎで前記物理ランダムアクセスチャネル（ＰＲＡＣＨ）送信（ｔｒａｎｓｍｉｓｓｉｏｎ）を行い、スロットｎ＋４でその対応する前記ビーム失敗回復に関する下りリンク信号（ビーム失敗回復のためのランダムアクセスレスポンス）を受信する。
【００８５】
本実施例では、該ビーム失敗回復に関する上りリンク信号は上位層パラメータにより設定され得る。
【００８６】
本実施例では、該上位層パラメータは、ＲＲＣシグナリングによりキャリー（ｃａｒｒｙ）されても良い。より具体的に言えば、該上位層パラメータは、ビーム失敗回復（ＢＦＲ）専用の、該ビーム失敗回復に関する上りリンク信号を送信するリソースを設定するために用いられ得る。例えば、該上位層パラメータはＰＲＡＣＨ−ＲｅｓｏｕｒｃｅＤｅｄｉｃａｔｅｄＢＦＲである。
【００８７】
本実施例では、該下りリンク参照信号は該第一セルの下りリンク参照信号であっても良い。
【００８８】
本実施例では、該下りリンク参照信号の索引はＭＡＣ層のシグナリングにより提供され得る。例えば、該下りリンク参照信号の索引は、ＭＡＣ層により上位層パラメータのうちから選択され得る。
【００８９】
例えば、該下りリンク参照信号の索引がｑｎｅｗであり、ＭＡＣ層実体はＲＲＣ層パラメータのうちからｑｎｅｗを選ぶ。例えば、該ＲＲＣ層パラメータは、候補ビーム参照信号リストを示すパラメータｃａｎｄｉｄａｔｅＢｅａｍＲＳＬｉｓｔである。
【００９０】
ステップ２０１では、該ビーム失敗回復に関する上りリンク信号を送信する第二セルが該第一セルと同じであるセルであるときに、ビーム失敗回復に関する上りリンク信号を送信する空間ドメイン伝送フィルターと同じ空間ドメイン伝送フィルターを使用して、第一セルでの上りリンク信号を送信し；該ビーム失敗回復に関する上りリンク信号を送信する第二セルが該第一セルとは異なるセルであるときに、下りリンク参照信号を受信する空間ドメイン伝送フィルターと同じ空間ドメイン伝送フィルターを使用して、第一セルでの上りリンク信号を送信する。
【００９１】
図３は、本発明の実施例１における信号送信方法を示す他の図である。図３に示すように、該方法は以下のステップを含む。
【００９２】
ステップ３０１：端末装置が、該ビーム失敗回復に関する上りリンク信号を送信する第二セルが該第一セルと同じセルであるかを判断し、判定結果が“はい”のときに、ステップ３０２に進み、判定結果が“いいえ”のときに、ステップ３０３に移行し；
ステップ３０２：該端末装置が、ビーム失敗回復に関する下りリンク信号を受信してからの一定期間の後、且つアクティベイションシグナリング又は再設定シグナリングを受信又は適用する前に、ビーム失敗回復に関する上りリンク信号を送信する空間ドメイン伝送フィルターと同じ空間ドメイン伝送フィルターを用いて、第一セルでの上りリンク信号を送信し；
ステップ３０３：該端末装置が、ビーム失敗回復に関する下りリンク信号を受信してからの一定期間の後、且つアクティベイションシグナリング又は再設定シグナリングを受信又は適用する前に、下りリンク参照信号を受信する空間ドメイン伝送フィルターと同じ空間ドメイン伝送フィルターを用いて、第一セルでの上りリンク信号を送信する。
【００９３】
本実施例では、該第一セルは以下のセルのうちの少なくとも１つであっても良く、即ち、
該ビーム失敗回復に関する上りリンク信号を送信するセル；
該ビーム失敗回復に関する上りリンク信号の送信に対応するランダムプロシージャを開始するセル；
該ビーム失敗回復に関する上りリンク信号の送信に対応するランダムプロシージャの設定情報の所在するセル；
該ビーム失敗回復に関する下りリンク信号を受信するセル；及び
少なくとも１つ又はすべてのアクティベイションセルであり。そのうち、アクティベイションセルとは、ネットワーク装置が指示シグナリングにより端末装置のためにアクティベイションするセルを指す。
【００９４】
該第一セルが該ビーム失敗回復に関する上りリンク信号を送信するセルである場合、該第一セルは第二セルと同じセルである。
【００９５】
本実施例では、第一セルでの上りリンク信号は、例えば、物理上りリンクリンク制御チャネル（ＰＵＣＣＨ）上で送信する上りリンク信号及び／又は物理上りリンクシェアチャネル（ＰＵＳＣＨ）上で送信する上りリンク信号である。
【００９６】
例えば、物理上りリンクリンク制御チャネル上で送信する上りリンク信号は、第一制御情報によりスケジューリングされる下りリンク信号をキャリー（ｃａｒｒｙ）するための確認情報（例えば、ＨＡＲＱ  ＡＣＫ／ＮＡＣＫ情報）である。そのうち、該第一制御情報に関連付けられるサーチ空間は、該ビーム失敗回復に関する下りリンク信号に関連付けられるサーチ空間と同じである。例えば、該サーチ空間はｒｅｃｏｖｅｒｙＳｅａｒｃｈＳｐａｃｅＩｄにより提供される。
【００９７】
図４は、本発明の実施例１における信号の送信及び受信のタイミング図である。図４に示すように、ビーム失敗発生後、端末装置はネットワーク装置にビーム失敗回復に関する上りリンク信号、例えばビーム回復リクエストを送信し；端末装置は、第一時刻にネットワーク装置からのビーム失敗回復に関する下りリンク信号、例えばビーム失敗回復レスポンスを受信し；該ビーム失敗回復に関する下りリンク信号を成功裏に受信した第一時刻の一定期間Ｔ１の後の第二時刻から、該端末装置がネットワーク装置からのアクティベイションシグナリング又は再設定シグナリングを受信又は適用する第三時刻までの期間Ｔ２内で、該端末装置は、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信し（第四時刻）、該上りリンク信号は、例えば、ＰＵＣＣＨ又はＰＵＳＣＨ上で送信する上りリンク信号である。
【００９８】
上述の実施例から分かるように、端末装置がビーム失敗回復に関する下りリンク信号を受信してからの一定期間の後、且つアクティベイションシグナリング又は再設定シグナリングを受信又は適用する前の期間内で、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信することで、端末装置がビーム失敗回復成功後に空間ドメイン伝送フィルターを使用して上りリンク信号を送信する解決案を提供し、端末装置が上りリンク信号を送信する信頼性を向上させることができる。また、該解決案は、適用性が広く、ＳｐＣｅｌｌにビーム失敗が発生するシナリオに適用することができるのみならず、セコンダリセル（ＳＣｅｌｌ、Ｓｅｃｏｎｄａｒｙ  Ｃｅｌｌ）にビーム失敗が発生するシナリオにも適用することができる。さらに、本解決案は、前記一定期間の開始点を正確に規定しているため、端末装置とネットワーク装置の前記一定期間の開始点への理解の不一致による不必要な送受信エラーを回避することもできる。
【実施例２】
【００９９】
本発明の実施例では信号受信方法が提供され、該方法はネットワーク装置側に応用され、該方法は実施例１に記載の信号送信方法に対応する。
【０１００】
図５は、本発明の実施例２における信号受信方法を示す図である。図５に示すように、該方法は以下のステップを含む。
【０１０１】
ステップ５０１：ネットワーク装置が、ビーム失敗回復に関する下りリンク信号を送信しての一定期間の後、且つアクティベイションシグナリング又は再設定シグナリングを送信する、又は、該アクティベイションシグナリング又は再設定シグナリングが有効になる前に、ビーム失敗回復に関する上りリンク信号の受信又は下りリンク参照信号の送信に関する空間的情報に基づいて、第一セルでの上りリンク信号を受信する。
【０１０２】
このように、ネットワーク装置がビーム失敗回復成功後、空間的情報に基づいて上りリンク信号を受信する解決案を提供し、ネットワーク装置が上りリンク信号を受信する信頼性を向上させることができる。また、該解決案は、適用性が広く、ＳｐＣｅｌｌにビーム失敗が発生するシナリオに適用することができるのみならず、セコンダリセル（ＳＣｅｌｌ、Ｓｅｃｏｎｄａｒｙ  Ｃｅｌｌ）にビーム失敗が発生するシナリオにも適用することができる。マルチキャリア（マルチサービングセルが設定される）シナリオにおいて、該解決案は、前記第一セルの上りリンク信号の送信が基づく空間的情報を正確に指示することができるため、他のセル（前記第一セルでないセル）の上りリンク信号が基づく空間的情報を誤って指示するのを避けることができる。
【０１０３】
また、本解決案はさらに、前記一定期間の開始点を正確に規定しているから、端末装置とネットワーク装置の前記一定期間への理解の不一致による不必要な送受信エラーを回避することもできる。
【０１０４】
本実施例では、ビーム失敗回復に関する上りリンク信号の受信又は下りリンク参照信号の送信に関する空間的情報に基づいて、第一セルでの上りリンク信号を受信することは、例えば、ビーム失敗回復に関する上りリンク信号を受信する、又は、下りリンク参照信号を送信する空間ドメイン伝送フィルターと同じ空間ドメイン伝送フィルターを用いて、第一セルでの上りリンク信号を受信することである。
【０１０５】
ステップ５０１では、ネットワーク装置は、ビーム失敗回復に関する下りリンク信号を送信してから一定期間の後、且つアクティベイションシグナリング又は再設定シグナリングを送信する、又は、前記アクティベイションシグナリング又は再設定シグナリングが有効になる前の期間内で、ビーム失敗回復に関する上りリンク信号の受信又は下りリンク参照信号の送信に関する空間的情報に基づいて、第一セルでの上りリンク信号を受信する。
【０１０６】
言い換えると、ネットワーク装置は、ビーム失敗回復に関する下りリンク信号を送信してからの一定期間の後に、第一セルでの上りリンク信号を受信する必要がある場合、ビーム失敗回復に関する上りリンク信号の受信又は下りリンク参照信号の送信に関する空間的情報に基づいて該上りリンク信号を、該ネットワーク装置がアクティベイションシグナリング又は再設定シグナリングを送信する、又は、該アクティベイションシグナリング又は再設定シグナリングが有効になるまで受信する。
【０１０７】
あるいは、言い換えると、ネットワーク装置は、ビーム失敗回復に関する下りリンク信号を送信した後に、前記ビーム失敗回復に関する下りリンク信号を送信する時刻と、前記ネットワーク装置が前記上りリンク信号を受信する時刻とのオフセット（ｏｆｆｓｅｔ）が一定期間以上である場合、ビーム失敗回復に関する上りリンク信号を受信する、又は、下りリンク参照信号を送信する空間ドメイン伝送フィルターに関する空間的情報に基づいて、第一セルでの上りリンク信号を、ネットワーク装置がアクティベイションシグナリング又は再設定シグナリングを送信する、又は、該アクティベイションシグナリング又は再設定シグナリングが有効になるまで受信する。
【０１０８】
本実施例では、便宜のため、“ビーム失敗回復に関する下りリンク信号を送信する”時刻を第一時刻と称し、“ビーム失敗回復に関する下りリンク信号を送信してからの一定期間を経た”時刻を第二時刻と称し、“アクティベイションシグナリング又は再設定シグナリングを送信する、又は、該アクティベイションシグナリング又は再設定シグナリングが有効になる”時刻を第三時刻と称し、“第一セルでの上りリンク信号を受信する”時刻を第四時刻と称する。そうすると、ステップ５０１では、ネットワーク装置は、前記第二時刻と前記第三時刻との間の期間内で、上述の空間的情報を用いて、第一セルでの上りリンク信号を受信する。又は、次のように理解されても良く、即ち、ネットワーク装置は、前記第一時刻と前記第四時刻とのオフセット（ｏｆｆｓｅｔ）が一定期間以上であるとき、且つ第三時刻の前に、上述の空間的情報に基づいて、第一セルでの上りリンク信号を受信する。本実施例では、ネットワーク装置は、アクティベイションシグナリング又は再設定シグナリングを送信した、又は、該アクティベイションシグナリング又は再設定シグナリングが有効になった後に、ステップ５０１の中の空間的情報に関する使用制限を受けない。
【０１０９】
本実施例では、該ビーム失敗回復に関する下りリンク信号は、ネットワーク装置がユーザ装置に送信するビーム失敗回復に関する下りリンク信号であり、例えば、該ビーム失敗回復に関する下りリンク信号は、ビーム失敗回復レスポンス及び／又はビーム失敗回復レスポンスによりスケジューリングされる下りリンクデータ情報である。
【０１１０】
本実施例では、該ビーム失敗回復レスポンスは、上位層パラメータにより提供されるサーチ空間で送信する、セル無線ネットワーク一時標識（Ｃ−ＲＮＴＩ、Ｃｅｌｌ  Ｒａｄｉｏ  Ｎｅｔｗｏｒｋ  Ｔｅｍｐｏｒａｒｙ  Ｉｄｅｎｔｉｆｉｅｒ）又は変調符号化スキームセル無線ネットワーク一時標識（ＭＣＳ−Ｃ−ＲＮＴＩ、Ｍｏｄｕｌａｔｉｏｎ  ａｎｄ  Ｃｏｄｉｎｇ  Ｓｃｈｅｍｅ−  Ｃｅｌｌ  Ｒａｄｉｏ  Ｎｅｔｗｏｒｋ  Ｔｅｍｐｏｒａｒｙ  Ｉｄｅｎｔｉｆｉｅｒ）によりスクランブルされる下りリンク制御情報（ＤＣＩ、Ｄｏｗｎｌｉｎｋ  Ｃｏｎｔｒｏｌ  Ｉｎｆｏｒｍａｔｉｏｎ）であっても良い。
【０１１１】
本実施例では、該上位層パラメータは、無線リソース制御（ＲＲＣ、Ｒａｄｉｏ  Ｒｅｓｏｕｒｃｅ  Ｃｏｎｔｒｏｌ）シグナリングにより設定されても良い。
【０１１２】
本実施例では、該上位層パラメータは、ビーム失敗回復（ＢＦＲ）ランダムアクセスレスポンス（ＲＡＲ、Ｒａｎｄｏｍ  Ａｃｃｅｓｓ  Ｒｅｓｐｏｎｓｅ）を送信するサーチ空間集合（ｓｅｔ）を設定するために用いられ得る。
【０１１３】
例えば、該上位層パラメータは、回復サーチ空間集合標識（ｒｅｃｏｖｅｒｙＳｅａｒｃｈＳｐａｃｅＩｄ）である。
【０１１４】
本実施例では、該“一定期間”は実際のニーズに応じて設定することができる。
【０１１５】
例えば、該一定期間は、所定数のシンボル（ｓｙｍｂｏｌ）、スロット（ｓｌｏｔ）又はミリ秒（ｍｓｅｃ）であっても良い。
【０１１６】
例えば、該一定期間は、Ｋ個のシンボル、又は、Ｋ個のスロット、又は、Ｋミリ秒であり、そのうち、Ｋは０以上の整数である。
【０１１７】
本実施例では、該一定期間の長さはサブキャリア間隔（ＳＣＳ、ｓｕｂｃａｒｒｉｅｒ  ｓｐａｃｉｎｇ）に関連しても良い。
【０１１８】
例えば、該一定期間の長さは、異なるサブキャリア間隔の下で変化する。
【０１１９】
例えば、該一定期間の長さに対応するシンボル数はＳＣＳに正比例しても良く、即ち、該ＳＣＳが１５ＫＨｚであるときに、該一定期間の長さは１４個のシンボルであり；該ＳＣＳが３０ＫＨｚであるときに、該一定期間の長さは２８個のシンボルであり；該ＳＣＳが６０ＫＨｚであるときに、該時間長さは５６個のシンボルであり、これに基づいて類推することができる。
【０１２０】
また、例えば、該ＳＣＳが１５ｋＨｚ及び３０ｋＨｚであるときに、第一時間長（例えば、１４個のシンボル）を使用し、該ＳＣＳが３０ｋＨｚよりも高いときに、第二時間長（例えば、２８個のシンボル）を使用する。
【０１２１】
本実施例では、該一定期間の長さは、該端末装置の能力（ＵＥ  ｃａｐａｂｉｌｉｔｙ）に関連しても良い。具体的に言えば、該端末装置の能力とは、ネットワーク装置に報告する端末装置の能力を指す。
【０１２２】
例えば、該一定期間の長さは、異なる端末装置の能力の等級（レベル）の下で変化する。
【０１２３】
例えば、第一ＵＥ能力等級（又は報告する第一ＵＥ能力等級の情報）の場合、該一定期間の長さは第一時間長（例えば、１４個のシンボル）であり；第二ＵＥ能力等級（又は報告する第二ＵＥ能力等級の情報）の場合、該一定期間の長さは第二時間長（例えば、２８個のシンボル）であり、これに基づいて類推することができる。
【０１２４】
本実施例では、該一定期間の長さは上位層シグナリングにより設定され得る。
【０１２５】
本実施例では、前記一定期間は１つの閾値として理解されても良い。前記第一時刻と前記第四時刻とのオフセットがこの閾値以上のとき、且つ第三時刻の前に、前記ネットワーク装置は、上述の空間的情報に基づいて第一セルでの上りリンク信号を受信する。
【０１２６】
本実施例では、“第一時刻”、“第二時刻”、“第三時刻”、及び“第四時刻”の具体的な解釈については、実施例１の中の記載と類似しているから、ここではその詳しい説明を省略する。
【０１２７】
本実施例では、該アクティベイションシグナリングは１種の指示シグナリングであっても良い。
【０１２８】
例えば、該アクティベイションシグナリングは以下の少なくとも１つであっても良く、即ち、
媒体アクセス制御（ＭＡＣ、Ｍｅｄｉａ  Ａｃｃｅｓｓ  Ｃｏｎｔｒｏｌ）層のアクティベイションシグナリング；
該ネットワーク装置により指示される端末装置のアンテナ面板（ａｎｔｅｎｎａ  ｐａｎｅｌ）の切り替えを指示するシグナリング；及び
ターゲットセルが該第一セルであるアクティベイションシグナリングである。
【０１２９】
例えば、該ＭＡＣ層のアクティベイションシグナリングは、少なくとも１つの設定済みのＰＵＣＣＨリソースの受信に対応する空間ドメイン伝送フィルターを指示するために用いられ、例えば、該アクティベイションシグナリングが指示するのは、ＰＵＣＣＨ−ＳｐａｔｉａｌＲｅｌａｔｉｏｎＩｎｆｏである。
【０１３０】
本実施例では、該再設定シグナリングは以下の少なくとも１つであっても良く、即ち、
ＲＲＣシグナリング；
該ネットワーク装置により指示される端末装置のアンテナ面板（ａｎｔｅｎｎａ  ｐａｎｅｌ）の切り替えに関する再設定シグナリング；及び
ターゲットセルが該第一セルである再設定シグナリングである。
【０１３１】
例えば、該ＲＲＣシグナリングは、少なくとも１つの設定済みの物理上りリンクリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）リソースに関連付けられる空間関係パラメータを再設定する。
【０１３２】
本実施例では、該ビーム失敗回復に関する上りリンク信号は以下の少なくとも１種の信号であっても良く、即ち、
ビーム失敗回復リクエスト；
リンク失敗回復のための物理ランダムアクセスチャネル（ＰＲＡＣＨ）受信（ｒｅｃｅｐｔｉｏｎ）；及び
前記ビーム失敗回復に関する下りリンク信号に関連付けられる物理ランダムアクセスチャネル（ＰＲＡＣＨ）受信（ｒｅｃｅｐｔｉｏｎ）である。
【０１３３】
具体的に言えば、前記物理ランダムアクセスチャネル（ＰＲＡＣＨ）受信（ｒｅｃｅｐｔｉｏｎ）と前記ビーム失敗回復に関する下りリンク信号は時間的な関連付けであっても良く、例えば、スロットｎで前記物理ランダムアクセスチャネル（ＰＲＡＣＨ）受信（ｒｅｃｅｐｔｉｏｎ）を行い、スロットｎ＋４でその対応する前記ビーム失敗回復に関する下りリンク信号（ビーム失敗回復のためのランダムアクセスレスポンス）を送信する。
【０１３４】
本実施例では、該ビーム失敗回復に関する上りリンク信号は上位層パラメータによりキャリー（ｃａｒｒｙ）されても良い。
【０１３５】
本実施例では、該上位層パラメータはＲＲＣシグナリングによりキャリー（ｃａｒｒｙ）され得る。
【０１３６】
より具体的に言えば、該上位層パラメータは、ビーム失敗回復（ＢＦＲ）専用の該ビーム失敗回復に関する上りリンク信号を受信するリソースを設定するために用いられ得る。例えば、該上位層パラメータはＰＲＡＣＨ−ＲｅｓｏｕｒｃｅＤｅｄｉｃａｔｅｄＢＦＲである。
【０１３７】
本実施例では、該下りリンク参照信号は、該第一セルの下りリンク参照信号であっても良い。
【０１３８】
本実施例では、該下りリンク参照信号の索引はＭＡＣ層のシグナリングにより提供され得る。例えば、該下りリンク参照信号の索引は、ＭＡＣ層が上位層パラメータのうちから選択し得る。
【０１３９】
例えば、該下りリンク参照信号の索引がｑｎｅｗであり、ＭＡＣ層実体は、ＲＲＣ層パラメータのうちからｑｎｅｗを選択する。例えば、該ＲＲＣ層パラメータは、候補ビーム参照信号リストを示すパラメータｃａｎｄｉｄａｔｅＢｅａｍＲＳＬｉｓｔである。
【０１４０】
ステップ５０１では、該ビーム失敗回復に関する上りリンク信号を受信する第二セルが該第一セルと同じセルであるときに、ビーム失敗回復に関する上りリンク信号の受信に関する空間的情報に基づいて、第一セルでの上りリンク信号を受信し；該ビーム失敗回復に関する上りリンク信号を受信する第二セルが該第一セルとは異なるセルであるときに、下りリンク参照信号の送信に関する空間的情報に基づいて、第一セルでの上りリンク信号を受信する。
【０１４１】
図６は、本発明の実施例２における信号受信方法を示す他の図である。図６に示すように、該方法は以下のステップを含む。
【０１４２】
ステップ６０１：ネットワーク装置が、該ビーム失敗回復に関する上りリンク信号を受信する第二セルが該第一セルと同じセルであるかを判断し、判定結果が“はい”のときに、ステップ６０２に進み、判定結果が“いいえ”のときに、ステップ６０３に移行し；
ステップ６０２：該ネットワーク装置が、ビーム失敗回復に関する下りリンク信号を送信してから一定期間の後、且つアクティベイションシグナリング又は再設定シグナリングを送信する、又は、該アクティベイションシグナリング又は再設定シグナリングが有効になる前に、ビーム失敗回復に関する上りリンク信号の受信に関する空間的情報に基づいて、第一セルでの上りリンク信号を受信し；
ステップ６０３：該ネットワーク装置が、ビーム失敗回復に関する下りリンク信号を送信してからの一定期間の後、且つアクティベイションシグナリング又は再設定シグナリングを送信する、又は、該アクティベイションシグナリング又は再設定シグナリングが有効になる前に、下りリンク参照信号の送信に関する空間的情報に基づいて、第一セルでの上りリンク信号を受信する。
【０１４３】
本実施例では、該第一セルは以下のセルのうちの少なくとも１つであっても良く、即ち、
該ビーム失敗回復に関する上りリンク信号を受信するセル；
該ビーム失敗回復に関する上りリンク信号の送信に対応するランダムプロシージャを開始するセル；
該ビーム失敗回復に関する上りリンク信号の送信に対応するランダムプロシージャの設定情報の所在するセル；
該ビーム失敗回復に関する下りリンク信号を送信するセル；及び
少なくとも１つ又はすべてのアクティベイションセルである。そのうち、アクティベイションセルとは、ネットワーク装置が指示シグナリングにより端末装置のためにアクティベイションするセルを指す。
【０１４４】
該第一セルが該ビーム失敗回復に関する上りリンク信号を送信するセルである場合、該第一セルは第二セルと同じセルである。
【０１４５】
本実施例では、第一セルでの上りリンク信号は例えば、物理上りリンクリンク制御チャネル（ＰＵＣＣＨ）上で受信する上りリンク信号及び／又は物理上りリンクシェアチャネル（ＰＵＳＣＨ）上で受信する上りリンク信号である。
【０１４６】
例えば、物理上りリンクリンク制御チャネル上で受信する上りリンク信号は、第一制御情報によりスケジューリングされる下りリンク信号をキャリー（ｃａｒｒｙ）する確認情報（例えば、ＨＡＲＱ  ＡＣＫ／ＮＡＣＫ情報）である。そのうち、該第一制御情報に関連付けられるサーチ空間は、該ビーム失敗回復に関する下りリンク信号に関連付けられるサーチ空間と同じである。例えば、該サーチ空間はｒｅｃｏｖｅｒｙＳｅａｒｃｈＳｐａｃｅＩｄにより提供される。
【０１４７】
上述の実施例から分かるように、ネットワーク装置は、ビーム失敗回復に関する下りリンク信号を送信してからの一定期間の後、且つアクティベイションシグナリング又は再設定シグナリングを送信する、又は、該アクティベイションシグナリング又は再設定シグナリングが有効になる前の期間内で、ビーム失敗回復に関する上りリンク信号の受信又は下りリンク参照信号の送信に関する空間的情報に基づいて、第一セルでの上りリンク信号を受信する。これにより、ネットワーク装置がビーム失敗回復成功後に空間的情報に基づいて上りリンク信号を受信する解決案を提供し、ネットワーク装置が上りリンク信号を受信する信頼性を向上させることができる。また、該解決案は、適用性が広く、ＳｐＣｅｌｌにビーム失敗が発生するシナリオに適用することができるのみならず、セコンダリセル（ＳＣｅｌｌ、Ｓｅｃｏｎｄａｒｙ  Ｃｅｌｌ）にビーム失敗が発生するシナリオにも適用することができる。さらに、本解決案は、前記一定期間の開始点を正確に規定しているから、端末装置とネットワーク装置の前記一定期間の開始点への理解の不一致による不必要な送受信エラーを回避することもできる。
【実施例３】
【０１４８】
本発明の実施例では信号送信方法が更に提供され、該方法は端末装置側及びネットワーク装置側に応用され、それは、実施例１における信号送信方法及び実施例２における信号受信方法に対応するため、その具体的な実施については実施例１及び２を参照することができ、ここでは重複説明を省略する。
【０１４９】
図７は、本発明の実施例３における信号送信方法を示す図である。図７に示すように、該方法は以下のステップを含む。
【０１５０】
ステップ７０１：端末装置がネットワーク装置にビーム失敗回復に関する上りリンク信号を送信し；
ステップ７０２：ネットワーク装置がユーザ装置にビーム失敗回復に関する下りリンク信号を送信し；
ステップ７０３：端末装置が、ビーム失敗回復に関する下りリンク信号を受信してからの一定期間の後、且つアクティベイションシグナリング又は再設定シグナリングを受信又は適用する前に、ビーム失敗回復に関する上りリンク信号を送信する、又は、下りリンク参照信号を受信する空間ドメイン伝送フィルターと同じ空間ドメイン伝送フィルターを用いて、ネットワーク装置に第一セルでの上りリンク信号を送信し；
ステップ７０４：ネットワーク装置が端末装置にアクティベイションシグナリング又は再設定シグナリングを送信する。
【０１５１】
本実施例では、上述の各ステップの実施方法については実施例１及び２の中の記載を参照することができ、ここではその詳しい説明を省略する。
【０１５２】
上述の実施例から分かるように、端末装置は、ビーム失敗回復に関する下りリンク信号を受信してからの一定期間の後、且つアクティベイションシグナリング又は再設定シグナリングを受信又は適用する前の期間内で、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信する。これにより、端末装置がビーム失敗回復成功後に空間ドメイン伝送フィルターを使用して上りリンク信号を送信する解決案を提供し、端末装置が上りリンク信号を送信する信頼性を向上させることができる。また、該解決案は、適用性が広く、ＳｐＣｅｌｌにビーム失敗が発生するシナリオに適用することができるのみならず、セコンダリセル（ＳＣｅｌｌ、Ｓｅｃｏｎｄａｒｙ  Ｃｅｌｌ）にビーム失敗が発生するシナリオにも適用することができる。さらに、本解決案は、前記一定期間の開始点を正確に規定しているから、端末装置とネットワーク装置の前記一定期間の開始点への理解の不一致による不必要な送受信エラーを避けることができる。
【実施例４】
【０１５３】
本発明の実施例では信号送信装置が更に提供され、それは端末装置側に応用される。該装置は実施例１に記載の信号送信方法に対応するため、その具体的な実施については実施例１を参照することができ、ここではその詳しい説明を省略する。
【０１５４】
図８は本発明の実施例４における信号送信装置を示す図である。図８に示すように、信号送信装置８００は以下のものを含む。
【０１５５】
送信ユニット８０１：ビーム失敗回復に関する下りリンク信号を受信してから一定期間の後、且つアクティベイションシグナリング又は再設定シグナリングを受信又は適用する前に、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信する。
【０１５６】
本実施例では、該送信ユニット８０１は、該ビーム失敗回復に関する上りリンク信号を送信する第二セルが該第一セルと同じセルであるときに、ビーム失敗回復に関する上りリンク信号を送信する空間ドメイン伝送フィルターと同じ空間ドメイン伝送フィルターを用いて、第一セルでの上りリンク信号を送信し；該ビーム失敗回復に関する上りリンク信号を送信する第二セルが該第一セルとは異なるセルであるときに、下りリンク参照信号を受信する空間ドメイン伝送フィルターと同じ空間ドメイン伝送フィルターを用いて、第一セルでの上りリンク信号を送信する。
【０１５７】
本実施例では、送信ユニット８０１の機能の具体的な実現については実施例１の中の対応ステップの記載を参照することができ、ここではその詳しい説明を省略する。
【０１５８】
上述の実施例から分かるように、端末装置は、ビーム失敗回復に関する下りリンク信号を受信してからの一定期間の後、且つアクティベイションシグナリング又は再設定シグナリングを受信又は適用する前の期間内で、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信する。これにより、端末装置がビーム失敗回復成功後に空間ドメイン伝送フィルターを使用して上りリンク信号を送信する解決案を提供し、端末装置が上りリンク信号を送信する信頼性を向上させることができる。また、該解決案は、適用性が広く、ＳｐＣｅｌｌにビーム失敗が発生するシナリオに適用することができるのみならず、セコンダリセル（ＳＣｅｌｌ、Ｓｅｃｏｎｄａｒｙ  Ｃｅｌｌ）にビーム失敗が発生するシナリオにも適用することができる。さらに、本解決案は、前記一定期間の開始点を正確に規定しているから、端末装置とネットワーク装置の前記一定期間の開始点への理解の不一致による不必要な送受信エラーを避けることができる。
【実施例５】
【０１５９】
本発明の実施例では信号受信装置が更に提供され、それはネットワーク装置側に応用さえる。該装置は実施例２に記載の信号受信方法に対応するから、その具体的な実施については実施例２を避けることができ、ここではその詳しい説明を省略する。
【０１６０】
図９は本発明の実施例５における信号受信装置を示す図である。図９に示すように、信号受信装置９００は以下のものを含む。
【０１６１】
受信ユニット９０１：ビーム失敗回復に関する下りリンク信号を送信してからの一定期間の後、且つアクティベイションシグナリング又は再設定シグナリングを送信する、又は、該アクティベイションシグナリング又は再設定シグナリングが有効になる前に、ビーム失敗回復に関する上りリンク信号の受信又は下りリンク参照信号の送信に関する空間的情報に基づいて、第一セルでの上りリンク信号を受信する。
【０１６２】
本実施例では、該受信ユニット９０１は、該ビーム失敗回復に関する上りリンク信号を受信する第二セルが該第一セルと同じセルであるときに、ビーム失敗回復に関する上りリンク信号の受信に関する空間的情報に基づいて、第一セルでの上りリンク信号を受信し；該ビーム失敗回復に関する上りリンク信号を受信する第二セルが該第一セルとは異なるセルであるときに、下りリンク参照信号の送信に関する空間的情報に基づいて、第一セルでの上りリンク信号を受信する。
【０１６３】
本実施例では、受信ユニット９０１の機能の具体的な実現については実施例２の中の対応ステップの記載を参照することができ、ここではその詳しい説明を省略する。
【０１６４】
上述の実施例から分かるように、ネットワーク装置は、ビーム失敗回復に関する下りリンク信号を送信してからの一定期間の後、且つアクティベイションシグナリング又は再設定シグナリングを送信する又は該アクティベイションシグナリング又は再設定シグナリングが有効になる前の期間内で、ビーム失敗回復に関する上りリンク信号の受信又は下りリンク参照信号の送信に関する空間的情報に基づいて、第一セルでの上りリンク信号を受信する。これにより、ネットワーク装置がビーム失敗回復成功後に空間的情報に基づいて上りリンク信号を受信する解決案を提供し、ネットワーク装置が上りリンク信号を受信する信頼性を向上させることができる。また、該解決案は、適用性が広く、ＳｐＣｅｌｌにビーム失敗が発生するシナリオに適用することができるのみならず、セコンダリセル（ＳＣｅｌｌ、Ｓｅｃｏｎｄａｒｙ  Ｃｅｌｌ）にビーム失敗が発生するシナリオにも適用することができる。さらに、本解決案は、前記一定期間の開始点を正確に規定しているから、端末装置とネットワーク装置の前記一定期間の開始点への理解の不一致による不必要な送受信エラーを避けることができる。
【実施例６】
【０１６５】
本発明の実施例では端末装置が更に提供され、該端末装置は実施例４に記載の信号送信装置を含む。
【０１６６】
図１０は、本発明の実施例６における端末装置のシステム構成図である。図１０に示すように、端末装置１０００は処理器１０１０及び記憶器１０２０を含んでも良く、記憶器１０２０は処理器１０１０に接続される。なお、該図は例示に過ぎず、さらに他の類型の構造を用いて該構造に対して補充又は代替を行うことで、電気通信機能又は他の機能を実現しても良い。
【０１６７】
１つの実施方式において、信号送信装置の機能が処理器１０１０に統合されても良い。そのうち、処理器１０１０は、次のように構成されても良く、即ち、ビーム失敗回復に関する下りリンク信号を受信してからの一定期間の後、且つアクティベイションシグナリング又は再設定シグナリングを受信又は適用する前に、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信する。
【０１６８】
例えば、該ビーム失敗回復に関する上りリンク信号を送信する第二セルが該第一セルと同じセルであるときに、前記ビーム失敗回復に関する上りリンク信号を送信する空間ドメイン伝送フィルターと同じ空間ドメイン伝送フィルターを用いて、第一セルでの上りリンク信号を送信する。
【０１６９】
例えば、該ビーム失敗回復に関する上りリンク信号を送信する第二セルが該第一セルと同じセルでないときに、前記下りリンク参照信号を受信する空間ドメイン伝送フィルターと同じ空間ドメイン伝送フィルターを用いて、第一セルでの上りリンク信号を送信する。
【０１７０】
もう１つの実施方式において、信号送信装置が処理器１０１０と別々で配置されても良く、例えば、信号送信装置を、処理器１０１０に接続されるチップとして構成し、処理器１０１０の制御により信号送信装置の機能を実現しても良い。
【０１７１】
図１０に示すように、該端末装置１０００はさらに、通信モジュール１０３０、入力ユニット１０４０、表示器１０５０、電源１０６０などを含んでも良い。なお、端末装置１０００は、図１０に示すすべての部品を含む必要ない。また、端末装置１０００はさらに図１０に無い部品を含んでも良いが、これについては関連技術を参照することができる。
【０１７２】
図１０に示すように、処理器１０１０は制御器又は操作コントローラと称される場合があり、マイクロプロセッサ又は他の処理器装置及び／又は論理装置を含んでも良い。該処理器１０１０は、入力を受信して端末装置１０００の各部品の操作を制御することができる。
【０１７３】
そのうち、記憶器１０２０は例えば、バッファ、フレッシュメモリ、ＨＤＤ、可移動媒体、揮発性記憶器、不揮発性記憶器又は他の的な装置のうちの１つ又は複数であって良く、各種のデータを記憶することができ、また、情報処理用のプログラムを記憶することもできる。処理器１０１０は、記憶器１０２０に記憶の該プログラムを実行することで、情報の記憶又は処理などを実現することができる。なお、他の部品の機能が従来と同様であるから、ここではその詳しい説明を省略する。なお、端末装置１０００の各部品は専用ハードウェア、ファームウェア、ソフトウェア又はその組み合わせにより実現されても良いが、そのすべては、本発明の範囲に属する。
【０１７４】
上述の実施例から分かるように、端末装置は、ビーム失敗回復に関する下りリンク信号を受信してからの一定期間の後、且つアクティベイションシグナリング又は再設定シグナリングを受信又は適用する前の期間内で、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信し。これにより、端末装置がビーム失敗回復成功後に空間ドメイン伝送フィルターを使用して上りリンク信号を送信する解決案を提供し、端末装置が上りリンク信号を送信する信頼性を向上させることができる。また、該解決案は、適用性が広く、ＳｐＣｅｌｌにビーム失敗が発生するシナリオに適用することができるのみならず、セコンダリセル（ＳＣｅｌｌ、Ｓｅｃｏｎｄａｒｙ  Ｃｅｌｌ）にビーム失敗が発生するシナリオにも適用することができる。さらに、本解決案は、前記一定期間の開始点を正確に規定しているから、端末装置とネットワーク装置の前記一定期間の開始点への理解の不一致による不必要な送受信エラーを避けることができる。
【実施例７】
【０１７５】
本発明の実施例ではネットワーク装置が更に提供され、該ネットワーク装置は実施例５に記載の信号受信装置を含む。
【０１７６】
図１１は、本発明の実施例７におけるネットワーク装置の構成図である。図１１に示すように、ネットワーク装置１１００は処理器（ｐｒｏｃｅｓｓｏｒ）１１１０及び記憶器１１２０を含んでも良く、記憶器１１２０は処理器１１１０に接続される。そのうち、該記憶器１１２０は、各種のデータを記憶することができ、また、情報処理用のプログラム１１３０を記憶することができ、且つ処理器１１１０の制御下で該プログラム１１３０を実行することで、端末装置送信の各種の情報を受信し、端末装置に各種の情報を送信することができる。
【０１７７】
１つの実施方式において、信号受信装置の機能が処理器１１１０に集積されても良い。そのうち、処理器１１１０は次のように構成されても良く、即ち、ビーム失敗回復に関する下りリンク信号を送信してからの一定期間の後、且つアクティベイションシグナリング又は再設定シグナリングを送信する、又は、該アクティベイションシグナリング又は再設定シグナリングが有効になる前に、ビーム失敗回復に関する上りリンク信号の受信又は下りリンク参照信号の送信に関する空間的情報に基づいて、第一セルでの上りリンク信号を受信する。
【０１７８】
例えば、該ビーム失敗回復に関する上りリンク信号を受信する第二セルが該第一セルと同じセルであるときに、前記ビーム失敗回復に関する上りリンク信号の受信に関する空間的情報に基づいて、第一セルでの上りリンク信号を受信する。
【０１７９】
例えば、該ビーム失敗回復に関する上りリンク信号を受信する第二セルが該第一セルと同じセルでないときに、前記下りリンク参照信号の送信に関する空間的情報に基づいて、第一セルでの上りリンク信号を受信する。
【０１８０】
もう１つの実施方式において、信号受信装置が処理器１１１０と別々で配置され、例えば、信号受信装置を、処理器１１１０に接続されるチップとして構成し、処理器１１１０の制御により信号受信装置の機能を実現しても良い。
【０１８１】
また、図１１に示すように、ネットワーク装置１１００はさらに、送受信機１１４０、アンテナ１１５０などを含んでも良い。そのうち、これらの部品の機能が従来技術と類似しているから、ここではその詳しい説明を省略する。なお、ネットワーク装置１１００は、図１１に示すすべての部品を含む必要がない。また、ネットワーク装置１１００はさらに、図１１に無い部品を含んでも良いが、これについては従来技術を参照することができる。
【０１８２】
上述の実施例から分かるように、ネットワーク装置は、ビーム失敗回復に関する下りリンク信号を送信してからの一定期間の後、且つアクティベイションシグナリング又は再設定シグナリングを送信する、又は、該アクティベイションシグナリング又は再設定シグナリングが有効になる前の期間内で、ビーム失敗回復に関する上りリンク信号の受信又は下りリンク参照信号の送信に関する空間的情報に基づいて、第一セルでの上りリンク信号を受信する。これにより、ネットワーク装置がビーム失敗回復成功後に空間的情報に基づいて上りリンク信号を受信する解決案を提供し、ネットワーク装置が上りリンク信号を受信する信頼性を向上させることができる。また、該解決案は、適用性が広く、ＳｐＣｅｌｌにビーム失敗が発生するシナリオに適用することができるのみならず、セコンダリセル（ＳＣｅｌｌ、Ｓｅｃｏｎｄａｒｙ  Ｃｅｌｌ）にビーム失敗が発生するシナリオにも適用することができる。さらに、本解決案は、前記一定期間の開始点を正確に規定しているから、端末装置とネットワーク装置の前記一定期間の開始点への理解の不一致による不必要な送受信エラーを避けることができる。
【実施例８】
【０１８３】
本発明の実施例では通信システムが更に提供され、それは実施例６に記載の端末装置及び／又は実施例７に記載のネットワーク装置を含む。
【０１８４】
例えば、該通信システムの構成は図１に示されている。図１に示すように、通信システム１００はネットワーク装置１０１及び端末装置１０２を含み、端末装置１０２は実施例６に記載の端末装置と同じであり、ネットワーク装置１０１は実施例７に記載のネットワーク装置と同じであり、ここではその詳しい説明を省略する。
【０１８５】
上述の実施例から分かるように、端末装置は、ビーム失敗回復に関する下りリンク信号を受信してからの一定期間の後、且つアクティベイションシグナリング又は再設定シグナリングを受信又は適用する前の期間内で、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信し。これにより、端末装置がビーム失敗回復成功後に空間ドメイン伝送フィルターを使用して上りリンク信号を送信する解決案を提供し、端末装置が上りリンク信号を送信する信頼性を向上させることができる。また、該解決案は、適用性が広く、ＳｐＣｅｌｌにビーム失敗が発生するシナリオに適用することができるのみならず、セコンダリセル（ＳＣｅｌｌ、Ｓｅｃｏｎｄａｒｙ  Ｃｅｌｌ）にビーム失敗が発生するシナリオにも適用することができる。さらに、本解決案は、前記一定期間の開始点を正確に規定しているから、端末装置とネットワーク装置の前記一定期間の開始点への理解の不一致による不必要な送受信エラーを避けることができる。
【０１８６】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、ＦＰＧＡ（Ｆｉｅｌｄ  Ｐｒｏｇｒａｍｍａｂｌｅ  Ｇａｔｅ  Ａｒｒａｙ）、マイクロプロセッサ、コンピュータに用いる処理器などであっても良い。本発明は、さらに、上述のプログラムを記憶した記憶媒体、例えば、ハードディスク、磁気ディスク、光ハードディスク、ＤＶＤ、フラッシュメモリなどにも関する。
【０１８７】
さらに、図面に記載の機能ブロックのうちの１つ又は複数の組み合わせ及び／又は機能ブロックの１つ又は複数の組み合わせは、本明細書に記載の機能を実行するための汎用処理器、デジタル信号処理器（ＤＳＰ）、特定用途向け集積回路（ＡＳＩＣ）、フィールドプログラマブルゲートアレイ（ＦＰＧＡ）又は他のプログラム可能な論理部品、ディスクリートゲート又はトランジスタ論理部品、ディスクリートハードウェアアセンブリ又は他の任意の適切な組み合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、ＤＳＰ及びマイクロプロセッサの組み合わせ、複数のマイクロプロセッサ、ＤＳＰと通信により接続される１つ又は複数のマイクロプロセッサ又は他の任意の構成の組み合わせとして構成されても良い。
【０１８８】
以上、本発明の好ましい実施形態を説明したが、本発明はこのような実施形態に限定されず、本発明の趣旨を離脱しない限り、本発明に対するあらゆる変更は本発明の技術的範囲に属する。
【０１８９】
また、上述の実施例などに関し、さらに以下の付記を開示する。
【０１９０】
（付記１）
信号送信装置であって、
ビーム失敗回復に関する下りリンク信号を受信してからの一定期間の後、且つアクティベイションシグナリング又は再設定シグナリングを受信又は適用する前に、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信する送信ユニットを含む、装置。
【０１９１】
（付記２）
付記１に記載の装置であって、
前記送信ユニットは、前記ビーム失敗回復に関する上りリンク信号を送信する第二セルが前記第一セルと同じセルであるときに、前記ビーム失敗回復に関する上りリンク信号を送信する空間ドメイン伝送フィルターと同じ空間ドメイン伝送フィルターを用いて、第一セルでの上りリンク信号を送信する、装置。
【０１９２】
（付記３）
付記１又は２に記載の装置であって、
前記送信ユニットは、前記ビーム失敗回復に関する上りリンク信号を送信する第二セルが前記第一セルと同じセルでないときに、前記下りリンク参照信号を受信する空間ドメイン伝送フィルターと同じ空間ドメイン伝送フィルターを用いて、第一セルでの上りリンク信号を送信する、装置。
【０１９３】
（付記４）
付記１に記載の装置であって、
前記ビーム失敗回復に関する下りリンク信号は、ビーム失敗回復レスポンス及び／又はビーム失敗回復レスポンスによりスケジューリングされる下りリンクデータ情報である、装置。
【０１９４】
（付記５）
付記４に記載の装置であって、
前記ビーム失敗回復レスポンスは、上位層パラメータにより提供されるサーチ空間で受信する、セル無線ネットワーク一時標識（Ｃ−ＲＮＴＩ）又は変調符号化スキームセル無線ネットワーク一時標識（ＭＣＳ−Ｃ−ＲＮＴＩ）によりスクランブルされる下りリンク制御情報（ＤＣＩ）である、装置。
【０１９５】
（付記６）
付記５に記載の装置であって、
前記上位層パラメータは、無線リソース制御（ＲＲＣ）シグナリングにより設定され、及び／又は
前記上位層パラメータは、ビーム失敗回復ランダムアクセスレスポンス（ＢＦＲ  ＲＡＲ）を受信するサーチ空間集合（ｓｅｔ）を設定するために用いられる、装置。
【０１９６】
（付記７）
付記１に記載の装置であって、
前記一定期間は、以下のうちの少なくとも１つを満たし、即ち、
前記一定期間が所定数のシンボル、スロット又はミリ秒であり；
前記一定期間の長さが上位層シグナリングにより設定され；
前記一定期間の長さがサブキャリア間隔（ｓｕｂｃａｒｒｉｅｒ  ｓｐａｃｉｎｇ、ＳＣＳ）に関連し；及び
前記一定期間の長さが端末装置の能力（ＵＥ  ｃａｐａｂｉｌｉｔｙ）に関連することである、装置。
【０１９７】
（付記８）
付記１に記載の装置であって、
前記ビーム失敗回復に関する上りリンク信号は以下の少なくとも１種であり、即ち、
ビーム失敗回復リクエスト；
リンク失敗回復のための物理ランダムアクセスチャネル（ＰＲＡＣＨ）送信（ｔｒａｎｓｍｉｓｓｉｏｎ）；及び
前記ビーム失敗回復に関する下りリンク信号に関連付けられる物理ランダムアクセスチャネル（ＰＲＡＣＨ）送信（ｔｒａｎｓｍｉｓｓｉｏｎ）である、装置。
【０１９８】
（付記９）
付記１又は８に記載の装置であって、
前記ビーム失敗回復に関する上りリンク信号は上位層パラメータにより設定される、装置。
【０１９９】
（付記１０）
付記９に記載の装置であって、
前記上位層パラメータは、無線リソース制御（ＲＲＣ）シグナリングによりキャリー（ｃａｒｒｙ）され、及び／又は
前記上位層パラメータは、ビーム失敗回復（ＢＦＲ）専用の、前記ビーム失敗回復に関する上りリンク信号を送信するリソースを設定するために用いられる、装置。
【０２００】
（付記１１）
付記１に記載の装置であって、
前記下りリンク参照信号は前記第一セルの下りリンク参照信号であり、及び／又は
前記下りリンク参照信号の索引は媒体アクセス制御（ＭＡＣ）層のシグナリングにより提供される、装置。
【０２０１】
（付記１２）
付記１１に記載の装置であって、
前記下りリンク参照信号の索引は、ＭＡＣ層により上位層パラメータのうちから選択される、装置。
【０２０２】
（付記１３）
付記１に記載の装置であって、
前記第一セルは以下のセルのうちの少なくとも１つであり、即ち、
前記ビーム失敗回復に関する上りリンク信号を送信するセル；
前記ビーム失敗回復に関する上りリンク信号の送信に対応するランダムプロシージャを開始するセル；
前記ビーム失敗回復に関する上りリンク信号の送信に対応するランダムプロシージャの設定情報の所在するセル；
前記ビーム失敗回復に関する下りリンク信号を受信するセル；及び
少なくとも１つ又はすべてのアクティベイションセルであり、そのうち、前記アクティベイションセルとは、ネットワーク装置が指示シグナリングにより端末装置のためにアクティベイションするセルである、装置。
【０２０３】
（付記１４）
付記１３に記載の装置であって、
前記第一セルでの上りリンク信号は、物理上りリンクリンク制御チャネル（ＰＵＣＣＨ）上で送信する上りリンク信号及び／又は物理上りリンクシェアチャネル（ＰＵＳＣＨ）上で送信する上りリンク信号である、装置。
【０２０４】
（付記１５）
付記１４に記載の装置であって、
物理上りリンクリンク制御チャネル上で送信する上りリンク信号は、第一制御情報によりスケジューリングされる下りリンク信号をキャリー（ｃａｒｒｙ）するための確認情報である、装置。
【０２０５】
（付記１６）
付記１５に記載の装置であって、
前記第一制御情報に関連付けられるサーチ空間は、前記ビーム失敗回復に関する下りリンク信号に関連付けられるサーチ空間と同じである、装置。
【０２０６】
（付記１７）
付記１に記載の装置であって、
前記アクティベイションシグナリングは以下の少なくとも１つであり、即ち、
ＭＡＣ層のアクティベイションシグナリング；
端末装置のアンテナ面板（ａｎｔｅｎｎａ  ｐａｎｅｌ）の切り替えを指示するシグナリング；及び
ターゲットセルが前記第一セルであるアクティベイションシグナリングである、装置。
【０２０７】
（付記１８）
付記１７に記載の装置であって、
前記ＭＡＣ層のアクティベイションシグナリングは、ＰＵＣＣＨリソースの送信に対応する空間ドメイン伝送フィルターを指示するために用いられる、装置。
【０２０８】
（付記１９）
付記１に記載の装置であって、
前記再設定シグナリングは以下の少なくとも１つであり、即ち、
ＲＲＣシグナリング；
端末装置のアンテナ面板（ａｎｔｅｎｎａ  ｐａｎｅｌ）の切り替えに関する再設定シグナリング；及び
ターゲットセルセルが前記第一セルである再設定シグナリングである、装置。
【０２０９】
（付記２０）
付記１９に記載の装置であって、
前記ＲＲＣシグナリングは、少なくとも１つの設定済みのＰＵＣＣＨリソースに関連付けられる空間関係パラメータを再設定する、装置。
【０２１０】
（付記２１）
信号受信装置であって、
ビーム失敗回復に関する下りリンク信号を送信してから一定期間の後、且つアクティベイションシグナリング又は再設定シグナリングを送信する、又は前記アクティベイションシグナリング又は再設定シグナリングが有効になる前に、ビーム失敗回復に関する上りリンク信号の受信又は下りリンク参照信号の送信に関する空間的情報に基づいて、第一セルでの上りリンク信号を受信する受信ユニットを含む、装置。
【０２１１】
（付記２２）
付記２１に記載の装置であって、
前記受信ユニットは、前記ビーム失敗回復に関する上りリンク信号を受信する第二セルが記第一セルと同じセルであるときに、前記ビーム失敗回復に関する上りリンク信号の受信に関する空間的情報に基づいて、第一セルでの上りリンク信号を受信する、装置。
【０２１２】
（付記２３）
付記２１又は２２に記載の装置であって、
前記受信ユニットは、前記ビーム失敗回復に関する上りリンク信号を受信する第二セルが前記第一セルと同じセルでないときに、前記下りリンク参照信号の送信に関する空間的情報に基づいて、第一セルでの上りリンク信号を受信する、装置。
【０２１３】
（付記２４）
付記２１に記載の装置であって、
前記ビーム失敗回復に関する下りリンク信号は、ビーム失敗回復レスポンス及び／又はビーム失敗回復レスポンスによりスケジューリングされる下りリンクデータ情報である、装置。
【０２１４】
（付記２５）
付記２４に記載の装置であって、
前記ビーム失敗回復レスポンスは、上位層パラメータにより提供されるサーチ空間で送信する、セル無線ネットワーク一時標識（Ｃ−ＲＮＴＩ）又は変調符号化スキームセル無線ネットワーク一時標識（ＭＣＳ−Ｃ−ＲＮＴＩ）によりスクランブルされる下りリンク制御情報（ＤＣＩ）である、装置。
【０２１５】
（付記２６）
付記２５に記載の装置であって、
前記上位層パラメータは、無線リソース制御（ＲＲＣ）シグナリングにより設定され、及び／又は
前記上位層パラメータは、ビーム失敗回復ランダムアクセスレスポンス（ＢＦＲ  ＲＡＲ）を送信するサーチ空間集合（ｓｅｔ）を設定するために用いられる、装置。
【０２１６】
（付記２７）
付記２１に記載の装置であって、
前記一定期間は以下のうちの少なくとも１つを満たし、即ち、
前記一定期間が所定数のシンボル、スロット又はミリ秒であり；
前記一定期間の長さが上位層シグナリングにより設定され；
前記一定期間の長さがサブキャリア間隔（ｓｕｂｃａｒｒｉｅｒ  ｓｐａｃｉｎｇ、ＳＣＳ）に関連し；及び
前記一定期間の長さが端末装置の能力（ＵＥ  ｃａｐａｂｉｌｉｔｙ）に関連することである、装置。
【０２１７】
（付記２８）
付記２１に記載の装置であって、
前記ビーム失敗回復に関する上りリンク信号は以下の少なくとも１種であり、即ち、
ビーム失敗回復リクエスト；
リンク失敗回復のための物理ランダムアクセスチャネル（ＰＲＡＣＨ）受信（ｒｅｃｅｐｔｉｏｎ）；及び
前記ビーム失敗回復に関する下りリンク信号に関連付けられる物理ランダムアクセスチャネル（ＰＲＡＣＨ）受信（ｒｅｃｅｐｔｉｏｎ）である、装置。
【０２１８】
（付記２９）
付記２１又は２８に記載の装置であって、
前記ビーム失敗回復に関する上りリンク信号は上位層パラメータにより設定される、装置。
【０２１９】
（付記３０）
付記２９に記載の装置であって、
前記上位層パラメータは、無線リソース制御（ＲＲＣ）シグナリングによりキャリー（ｃａｒｒｙ）され、及び／又は
前記上位層パラメータは、ビーム失敗回復（ＢＦＲ）専用の、前記ビーム失敗回復に関する上りリンク信号を受信するリソースを設定するために用いられる、装置。
【０２２０】
（付記３１）
付記２１に記載の装置であって、
前記下りリンク参照信号は前記第一セルの下りリンク参照信号であり、及び／又は
前記下りリンク参照信号の索引は媒体アクセス制御（ＭＡＣ）層のシグナリングにより提供される、装置。
【０２２１】
（付記３２）
付記３１に記載の装置であって、
前記下りリンク参照信号の索引は、ＭＡＣ層により上位層パラメータのうちから選択される、装置。
【０２２２】
（付記３３）
付記２１に記載の装置であって、
前記第一セルは以下のセルのうちの少なくとも１つであり、即ち、
前記ビーム失敗回復に関する上りリンク信号を受信するセル；
前記ビーム失敗回復に関する上りリンク信号の送信に対応するランダムプロシージャを開始するセル；
前記ビーム失敗回復に関する上りリンク信号の送信に対応するランダムプロシージャの設定情報の所在するセル；
前記ビーム失敗回復に関する下りリンク信号を送信するセル；及び
少なくとも１つ又はすべてのアクティベイションセルであり、そのうち、前記アクティベイションセルとは、ネットワーク装置が指示シグナリングにより端末装置のためにアクティベイションするセルを指す、装置。
【０２２３】
（付記３４）
付記３３に記載の装置であって、
前記第一セルでの上りリンク信号は、物理上りリンクリンク制御チャネル（ＰＵＣＣＨ）上で受信する上りリンク信号及び／又は物理上りリンクシェアチャネル（ＰＵＳＣＨ）上で受信する上りリンク信号である、装置。
【０２２４】
（付記３５）
付記３４に記載の装置であって、
物理上りリンクリンク制御チャネル上で受信する上りリンク信号は、第一制御情報によりスケジューリングされる下りリンク信号をキャリー（ｃａｒｒｙ）するための確認情報である、装置。
【０２２５】
（付記３６）
付記３５に記載の装置であって、
前記第一制御情報に関連付けられるサーチ空間は前記ビーム失敗回復に関する下りリンク信号に関連付けられるサーチ空間と同じである、装置。
【０２２６】
（付記３７）
付記２１に記載の装置であって、
前記アクティベイションシグナリングは以下の少なくとも１つであり、即ち、
ＭＡＣ層のアクティベイションシグナリング；
前記ネットワーク装置が指示する端末装置のアンテナ面板（ａｎｔｅｎｎａ  ｐａｎｅｌ）の切り替えを指示するシグナリング；及び
ターゲットセルが前記第一セルであるアクティベイションシグナリングである、装置。
【０２２７】
（付記３８）
付記３７に記載の装置であって、
前記ＭＡＣ層のアクティベイションシグナリングは、ＰＵＣＣＨリソースの受信に対応する空間的情報を指示するために用いられる、装置。
【０２２８】
（付記３９）
付記２１に記載の装置であって、
前記再設定シグナリングは以下の少なくとも１つであり、即ち、
ＲＲＣシグナリング；
前記ネットワーク装置が指示する端末装置のアンテナ面板（ａｎｔｅｎｎａ  ｐａｎｅｌ）の切り替えに関する再設定シグナリング；及び
ターゲットセルが前記第一セルである再設定シグナリングである、装置。
【０２２９】
（付記４０）
付記３９に記載の装置であって、
前記ＲＲＣシグナリングは、少なくとも１つの設定済みのＰＵＣＣＨリソースに関連付けられる空間関係パラメータを再設定する、装置。
【０２３０】
（付記４１）
付記１−２０のうちの任意の一項に記載の装置を含む端末装置。
【０２３１】
（付記４２）
付記２１−４０のうちの任意の一項に記載の装置を含むネットワーク装置。
【０２３２】
（付記４３）
付記４１に記載の端末装置及び／又は付記４２に記載のネットワーク装置を含む通信システム。
【０２３３】
（付記４４）
信号送信方法であって、
端末装置が、ビーム失敗回復に関する下りリンク信号を受信してからの一定期間の後、且つアクティベイションシグナリング又は再設定シグナリングを受信又は適用する前に、ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信することを含む、方法。
【０２３４】
（付記４５）
付記４４に記載の方法であって、
前記ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信することは、
前記ビーム失敗回復に関する上りリンク信号を送信する第二セルが前記第一セルと同じセルであるときに、前記ビーム失敗回復に関する上りリンク信号を送信する空間ドメイン伝送フィルターと同じ空間ドメイン伝送フィルターを用いて、第一セルでの上りリンク信号を送信することを含む、方法。
【０２３５】
（付記４６）
付記４４又は４５に記載の方法であって、
前記ビーム失敗回復に関する上りリンク信号を送信する、又は、下りリンク参照信号を受信する空間ドメイン伝送フィルターと同じ空間ドメイン伝送フィルターを用いて、第一セルでの上りリンク信号を送信することは、
前記ビーム失敗回復に関する上りリンク信号を送信する第二セルが前記第一セルと同じセルでないときに、前記下りリンク参照信号を受信する空間ドメイン伝送フィルターと同じ空間ドメイン伝送フィルターを用いて、第一セルでの上りリンク信号を送信することを含む、方法。
【０２３６】
（付記４７）
付記４４に記載の方法であって、
前記ビーム失敗回復に関する下りリンク信号は、ビーム失敗回復レスポンス及び／又はビーム失敗回復レスポンスによりスケジューリングされる下りリンクデータ情報である、方法。
【０２３７】
（付記４８）
付記４７に記載の方法であって、
前記ビーム失敗回復レスポンスは、上位層パラメータにより提供されるサーチ空間で受信する、セル無線ネットワーク一時標識（Ｃ−ＲＮＴＩ）又は変調符号化スキームセル無線ネットワーク一時標識（ＭＣＳ−Ｃ−ＲＮＴＩ）によりスクランブルされる下りリンク制御情報（ＤＣＩ）である、方法。
【０２３８】
（付記４９）
付記４８に記載の方法であって、
前記上位層パラメータは、無線リソース制御（ＲＲＣ）シグナリングにより設定され、及び／又は
前記上位層パラメータは、ビーム失敗回復ランダムアクセスレスポンス（ＢＦＲ  ＲＡＲ）を受信するサーチ空間集合（ｓｅｔ）を設定するために用いられる、方法。
【０２３９】
（付記５０）
付記４４に記載の方法であって、
前記一定期間は以下のうちの少なくとも１つを満たし、即ち、
前記一定期間が所定数のシンボル、スロット又はミリ秒であり；
前記一定期間の長さが上位層シグナリングにより設定され；
前記一定期間の長さがサブキャリア間隔（ｓｕｂｃａｒｒｉｅｒ  ｓｐａｃｉｎｇ、ＳＣＳ）に関連し；及び
前記一定期間の長さが端末装置の能力（ＵＥ  ｃａｐａｂｉｌｉｔｙ）に関連することである、方法。
【０２４０】
（付記５１）
付記４４に記載の方法であって、
前記ビーム失敗回復に関する上りリンク信号は以下の少なくとも１種であり、即ち、
ビーム失敗回復リクエスト；
リンク失敗回復のための物理ランダムアクセスチャネル（ＰＲＡＣＨ）送信（ｔｒａｎｓｍｉｓｓｉｏｎ）；及び
前記ビーム失敗回復に関する下りリンク信号に関連付けられる物理ランダムアクセスチャネル（ＰＲＡＣＨ）送信（ｔｒａｎｓｍｉｓｓｉｏｎ）である、方法。
【０２４１】
（付記５２）
付記４４又は５１に記載の方法であって、
前記ビーム失敗回復に関する上りリンク信号は上位層パラメータにより設定される、方法。
【０２４２】
（付記５３）
付記５２に記載の方法であって、
前記上位層パラメータは、無線リソース制御（ＲＲＣ）シグナリングによりキャリー（ｃａｒｒｙ）され、及び／又は
前記上位層パラメータは、ビーム失敗回復（ＢＦＲ）専用の、前記ビーム失敗回復に関する上りリンク信号を送信するリソースを設定するために用いられる、方法。
【０２４３】
（付記５４）
付記４４に記載の方法であって、
前記下りリンク参照信号は前記第一セルの下りリンク参照信号であり、及び／又は
前記下りリンク参照信号の索引は、媒体アクセス制御（ＭＡＣ）層のシグナリングにより提供される、方法。
【０２４４】
（付記５５）
付記５４に記載の方法であって、
前記下りリンク参照信号の索引は、ＭＡＣ層により上位層パラメータのうちから選択される、方法。
【０２４５】
（付記５６）
付記４４に記載の方法であって、
前記第一セルは以下のセルのうちの少なくとも１つであり、即ち、
前記ビーム失敗回復に関する上りリンク信号を送信するセル；
前記ビーム失敗回復に関する上りリンク信号の送信に対応するランダムプロシージャを開始するセル；
前記ビーム失敗回復に関する上りリンク信号の送信に対応するランダムプロシージャの設定情報の所在するセル；
前記ビーム失敗回復に関する下りリンク信号を受信するセル；及び
少なくとも１つ又はすべてのアクティベイションセルであり、そのうち、前記アクティベイションセルとは、ネットワーク装置が指示シグナリングにより端末装置のためにアクティベイションするセルである、方法。
【０２４６】
（付記５７）
付記５６に記載の方法であって、
前記第一セルでの上りリンク信号は、物理上りリンクリンク制御チャネル（ＰＵＣＣＨ）上で送信する上りリンク信号及び／又は物理上りリンクシェアチャネル（ＰＵＳＣＨ）上で送信する上りリンク信号である、方法。
【０２４７】
（付記５８）
付記５７に記載の方法であって、
物理上りリンクリンク制御チャネル上で送信する上りリンク信号は、第一制御情報によりスケジューリングされる下りリンク信号をキャリー（ｃａｒｒｙ）するための確認情報である、方法。
【０２４８】
（付記５９）
付記５８に記載の方法であって、
前記第一制御情報に関連付けられるサーチ空間は前記ビーム失敗回復に関する下りリンク信号に関連付けられるサーチ空間と同じである、方法。
【０２４９】
（付記６０）
付記４４に記載の方法であって、
前記アクティベイションシグナリングは以下の少なくとも１つであり、即ち、
ＭＡＣ層のアクティベイションシグナリング；
端末装置のアンテナ面板（ａｎｔｅｎｎａ  ｐａｎｅｌ）の切り替えを指示するシグナリング；及び
ターゲットセルが前記第一セルであるアクティベイションシグナリングである、方法。
【０２５０】
（付記６１）
付記６０に記載の方法であって、
前記ＭＡＣ層のアクティベイションシグナリングは、ＰＵＣＣＨリソースの送信に対応する空間ドメイン伝送フィルターを指示するために用いられる、方法。
【０２５１】
（付記６２）
付記４４に記載の方法であって、
前記再設定シグナリングは以下の少なくとも１つであり、即ち、
ＲＲＣシグナリング；
端末装置のアンテナ面板（ａｎｔｅｎｎａ  ｐａｎｅｌ）の切り替えに関する再設定シグナリング；及び
ターゲットセルが前記第一セルである再設定シグナリングである、方法。
【０２５２】
（付記６３）
付記６２に記載の方法であって、
前記ＲＲＣシグナリングは、少なくとも１つの設定済みのＰＵＣＣＨリソースに関連付けられる空間関係パラメータを再設定する、方法。
【０２５３】
（付記６４）
信号受信方法であって、
ネットワーク装置が、ビーム失敗回復に関する下りリンク信号を送信してからの一定期間の後、且つアクティベイションシグナリング又は再設定シグナリングを送信する、又は前記アクティベイションシグナリング又は再設定シグナリングが有効になる前に、ビーム失敗回復に関する上りリンク信号の受信又は下りリンク参照信号の送信に関する空間的情報に基づいて、第一セルでの上りリンク信号を受信することを含む、方法。
【０２５４】
（付記６５）
付記６４に記載の方法であって、
ビーム失敗回復に関する上りリンク信号の受信又は下りリンク参照信号の送信に関する空間的情報に基づいて、第一セルでの上りリンク信号を受信することは、
前記ビーム失敗回復に関する上りリンク信号を受信する第二セルが前記第一セルと同じセルであるときに、前記ビーム失敗回復に関する上りリンク信号の受信に関する空間的情報に基づいて、第一セルでの上りリンク信号を受信する、方法。
【０２５５】
（付記６６）
付記６４又は６５に記載の方法であって、
ビーム失敗回復に関する上りリンク信号の受信又は下りリンク参照信号の送信に関する空間的情報に基づいて、第一セルでの上りリンク信号を受信することは、
前記ビーム失敗回復に関する上りリンク信号を受信する第二セルが前記第一セルと同じセルでないときに、前記下りリンク参照信号の送信に関する空間的情報に基づいて、第一セルでの上りリンク信号を受信する、方法。
【０２５６】
（付記６７）
付記６４に記載の方法であって、
前記ビーム失敗回復に関する下りリンク信号は、ビーム失敗回復レスポンス及び／又はビーム失敗回復レスポンスによりスケジューリングされる下りリンクデータ情報である、方法。
【０２５７】
（付記６８）
付記６７に記載の方法であって、
前記ビーム失敗回復レスポンスは、上位層パラメータにより提供されるサーチ空間で送信する、セル無線ネットワーク一時標識（Ｃ−ＲＮＴＩ）又は変調符号化スキームセル無線ネットワーク一時標識（ＭＣＳ−Ｃ−ＲＮＴＩ）によりスクランブルされる下りリンク制御情報（ＤＣＩ）である、方法。
【０２５８】
（付記６９）
付記６８に記載の方法であって、
前記上位層パラメータは無線リソース制御（ＲＲＣ）シグナリングにより設定され、及び／又は
前記上位層パラメータは、ビーム失敗回復ランダムアクセスレスポンス（ＢＦＲ  ＲＡＲ）を送信するサーチ空間集合（ｓｅｔ）を設定するために用いられる、方法。
【０２５９】
（付記７０）
付記６４に記載の方法であって、
前記一定期間は以下の少なくとも１つを満たし、即ち、
前記一定期間が所定数のシンボル、スロット又はミリ秒であり；
前記一定期間の長さが上位層シグナリングにより設定され；
前記一定期間の長さがサブキャリア間隔（ｓｕｂｃａｒｒｉｅｒ  ｓｐａｃｉｎｇ、ＳＣＳ）に関連し；及び
前記一定期間の長さが端末装置の能力（ＵＥ  ｃａｐａｂｉｌｉｔｙ）に関連することである、方法。
【０２６０】
（付記７１）
付記６４に記載の方法であって、
前記ビーム失敗回復に関する上りリンク信号は以下の少なくとも１種であり、即ち、
ビーム失敗回復リクエスト；
リンク失敗回復のための物理ランダムアクセスチャネル（ＰＲＡＣＨ）受信（ｒｅｃｅｐｔｉｏｎ）；及び
前記ビーム失敗回復に関する下りリンク信号に関連付けられる物理ランダムアクセスチャネル（ＰＲＡＣＨ）受信（ｒｅｃｅｐｔｉｏｎ）である、方法。
【０２６１】
（付記７２）
付記６４又は７１に記載の方法であって、
前記ビーム失敗回復に関する上りリンク信号は上位層パラメータにより設定される、方法。
【０２６２】
（付記７３）
付記７２に記載の方法であって、
前記上位層パラメータは無線リソース制御（ＲＲＣ）シグナリングによりキャリー（ｃａｒｒｙ）され、及び／又は
前記上位層パラメータは、ビーム失敗回復（ＢＦＲ）専用の、前記ビーム失敗回復に関する上りリンク信号を受信するリソースを設定するために用いられる、方法。
【０２６３】
（付記７４）
付記６４に記載の方法であって、
前記下りリンク参照信号は前記第一セルの下りリンク参照信号であり、及び／又は
前記下りリンク参照信号の索引は媒体アクセス制御（ＭＡＣ）層のシグナリングにより提供される、方法。
【０２６４】
（付記７５）
付記７４に記載の方法であって、
前記下りリンク参照信号の索引はＭＡＣ層により上位層パラメータのうちから選択される、方法。
【０２６５】
（付記７６）
付記６４に記載の方法であって、
前記第一セルは以下のセルのうちの１つであり、即ち、
前記ビーム失敗回復に関する上りリンク信号を受信するセル；
前記ビーム失敗回復に関する上りリンク信号の送信に対応するランダムプロシージャを開始するセル；
前記ビーム失敗回復に関する上りリンク信号の送信に対応するランダムプロシージャの設定情報の所在するセル；
前記ビーム失敗回復に関する下りリンク信号を送信するセル；及び
少なくとも１つ又はすべてのアクティベイションセルであり、そのうち、前記アクティベイションセルとは、ネットワーク装置が指示シグナリングにより端末装置のためにアクティベイションするセルを指す、方法。
【０２６６】
（付記７７）
付記７６に記載の方法であって、
前記第一セルでの上りリンク信号は、物理上りリンクリンク制御チャネル（ＰＵＣＣＨ）上で受信する上りリンク信号及び／又は物理上りリンクシェアチャネル（ＰＵＳＣＨ）上で受信する上りリンク信号である、方法。
【０２６７】
（付記７８）
付記７７に記載の方法であって、
物理上りリンクリンク制御チャネル上で受信する上りリンク信号は、第一制御情報によりスケジューリングされる下りリンク信号をキャリー（ｃａｒｒｙ）するための確認情報である、方法。
【０２６８】
（付記７９）
付記７８に記載の方法であって、
前記第一制御情報に関連付けられるサーチ空間は前記ビーム失敗回復に関する下りリンク信号に関連付けられるサーチ空間と同じである、方法。
【０２６９】
（付記８０）
付記６４に記載の方法であって、
前記アクティベイションシグナリングは以下の少なくとも１つであり、即ち、
ＭＡＣ層のアクティベイションシグナリング；
前記ネットワーク装置が指示する端末装置のアンテナ面板（ａｎｔｅｎｎａ  ｐａｎｅｌ）の切り替えを指示するシグナリング；及び
ターゲットセルが前記第一セルであるアクティベイションシグナリングである、方法。
【０２７０】
（付記８１）
付記８０に記載の方法であって、
前記ＭＡＣ層のアクティベイションシグナリングは、ＰＵＣＣＨリソースの受信に対応する空間的情報を指示するために用いられる、方法。
【０２７１】
（付記８２）
付記６４に記載の方法であって、
前記再設定シグナリングは以下の少なくとも１つであり、即ち、
ＲＲＣシグナリング；
前記ネットワーク装置が指示する端末装置のアンテナ面板（ａｎｔｅｎｎａ  ｐａｎｅｌ）の切り替えに関する再設定シグナリング；及び
ターゲットセルが前記第一セルである再設定シグナリングである、方法。
【０２７２】
（付記８３）
付記８２に記載の方法であって、
前記ＲＲＣシグナリングは、少なくとも１つの設定済みのＰＵＣＣＨリソースに関連付けられる空間関係パラメータを再設定する、方法。
【図１】
2021536176.tif 000003
【図２】
2021536176.tif 000004
【図３】
2021536176.tif 000005
【図４】
2021536176.tif 000006
【図５】
2021536176.tif 000007
【図６】
2021536176.tif 000008
【図７】
2021536176.tif 000009
【図８】
2021536176.tif 000010
【図９】
2021536176.tif 000011
【図１０】
2021536176.tif 000012
【図１１】
2021536176.tif 000013
【国際調査報告】
2021536176.tif 000014
2021536176.tif 000015
2021536176.tif 000016
2021536176.tif 000017